(57)【要約】  本開示は、ランダムアクセス応答方法、装置、基地局および端末を提供する。当該方法において、ランダムアクセス応答メッセージを端末に送信するステップを含む。ここで、ランダムアクセス応答メッセージのＭＡＣ  ＰＤＵは、少なくとも１つのＭＡＣ  ｓｕｂＰＤＵを含み、ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。ＭＡＣ  ｓｕｂＰＤＵが少なくとも２つである場合、少なくとも２つのＭＡＣ  ｓｕｂＰＤＵは、ＭＡＣ  ＰＤＵで順に排列する。【選択図】  図７
2020529807.tif 000002
【特許請求の範囲】
【請求項１】
基地局に応用されるランダムアクセス応答方法において、
ランダムアクセス応答メッセージを端末に送信するステップを含み、
ここで、前記ランダムアクセス応答メッセージのＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔａ  Ｕｎｉｔ）は、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲ（Ｍｅｄｉａ  Ａｃｃｅｓｓ  Ｃｏｎｔｒｏｌ  Ｒａｎｄｏｍ  Ａｃｃｅｓｓ  Ｒｅｓｐｏｎｓｅ）を含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答方法。
【請求項２】
前記ＭＡＣ  ｓｕｂＰＤＵは、第１ＭＡＣサブヘッダのみを含む第１ＭＡＣ  ｓｕｂＰＤＵを含む、請求項１に記載のランダムアクセス応答方法。
【請求項３】
前記第１ＭＡＣサブヘッダは、ＢＩ（Ｂａｃｋ  ｏｆｆ  Ｉｎｄｉｃａｔｏｒ）を含むサブヘッダである、請求項２に記載のランダムアクセス応答方法。
【請求項４】
前記ランダムアクセス応答メッセージには、前記第１ＭＡＣ  ｓｕｂＰＤＵがほかのＭＡＣ  ｓｕｂＰＤＵの前に排列されている、請求項３に記載のランダムアクセス応答方法。
【請求項５】
前記第１ＭＡＣサブヘッダは、Ｍｓｇ１に基づくシステムインフォメーション要求に対し応答を行うＭＡＣサブヘッダである、請求項２に記載のランダムアクセス応答方法。
【請求項６】
前記第１ＭＡＣ  ｓｕｂＰＤＵは、前記ランダムアクセス応答メッセージのＭＡＣ  ＰＤＵの所定位置に位置する、請求項５に記載のランダムアクセス応答方法。
【請求項７】
前記所定位置は、
全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である、請求項６に記載のランダムアクセス応答方法。
【請求項８】
端末に応用されるランダムアクセス応答方法において、
基地局から送信されるランダムアクセス応答メッセージを受信するステップを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答方法。
【請求項９】
前記ＭＡＣ  ｓｕｂＰＤＵは、第１ＭＡＣサブヘッダのみを含む第１ＭＡＣ  ｓｕｂＰＤＵを含む、請求項８に記載のランダムアクセス応答方法。
【請求項１０】
前記第１ＭＡＣサブヘッダは、ＢＩを含むサブヘッダである、請求項９に記載のランダムアクセス応答方法。
【請求項１１】
前記ランダムアクセス応答メッセージには、前記第１ＭＡＣ  ｓｕｂＰＤＵがほかのＭＡＣ  ｓｕｂＰＤＵの前に排列されている、請求項１０に記載のランダムアクセス応答方法。
【請求項１２】
前記第１ＭＡＣサブヘッダは、Ｍｓｇ１に基づくシステムインフォメーション要求に対し応答を行うＭＡＣサブヘッダである、請求項９に記載のランダムアクセス応答方法。
【請求項１３】
前記第１ＭＡＣ  ｓｕｂＰＤＵは、前記ランダムアクセス応答メッセージのＭＡＣ  ＰＤＵの所定位置に位置する、請求項１２に記載のランダムアクセス応答方法。
【請求項１４】
前記所定位置は、
全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である、請求項１３に記載のランダムアクセス応答方法。
【請求項１５】
基地局から送信されるランダムアクセス応答メッセージを受信するステップの後に、
前記ランダムアクセス応答メッセージを解析するステップをさらに含む、請求項９〜１４のいずれか一項に記載のランダムアクセス応答方法。
【請求項１６】
前記ランダムアクセス応答メッセージを解析するステップは、
前記ランダムアクセス応答メッセージの１つめのＭＡＣ  ｓｕｂＰＤＵを解析するステップと、
１つめのＭＡＣ  ｓｕｂＰＤＵのＭＡＣサブヘッダにＲＡＰＩＤ（Ｒａｎｄｏｍ  Ａｃｃｅｓｓ  Ｐｒｅａｍｂｌｅ  ＩＤ）が含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとを含む、請求項１５に記載のランダムアクセス応答方法。
【請求項１７】
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとをさらに含む、請求項１６に記載のランダムアクセス応答方法。
【請求項１８】
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するステップと、
Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するステップと、
３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとをさらに含む、請求項１６に記載のランダムアクセス応答方法。
【請求項１９】
前記の各々のＭＡＣ  ｓｕｂＰＤＵを並行して解析するステップの後に、
そのうちの１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するステップをさらに含む、請求項１６に記載のランダムアクセス応答方法。
【請求項２０】
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するステップをさらに含む、請求項１６に記載のランダムアクセス応答方法。
【請求項２１】
前記のＭＡＣ  ＲＡＲを含む各々のＭＡＣ  ｓｕｂＰＤＵを取得するステップの後に、
ＭＡＣ  ＲＡＲを含む各々のＭＡＣ  ｓｕｂＰＤＵをそれぞれ並行して解析し、含まれる可能性があれば、Ｍｓｇ１に基づくシステムインフォメーション要求に対し応答を行うＭＡＣ  ｓｕｂＰＤＵを解析するステップをさらに含む、請求項２０に記載のランダムアクセス応答方法。
【請求項２２】
Ｍｓｇ１に基づくシステムインフォメーション要求ともう１つのランダムアクセス要求の両方が端末から送信された場合、ＭＡＣ  ＲＡＲを含むＭＡＣ  ｓｕｂＰＤＵから、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを、端末によって解析すると、ほかのＭＡＣ  ＲＡＲを含むＭＡＣ  ｓｕｂＰＤＵを廃棄するステップと、
Ｍｓｇ１に基づくシステムインフォメーション要求のみが端末から送信された場合、端末がＭＡＣ  ＲＡＲを含むＭＡＣ  ｓｕｂＰＤＵをすべて廃棄し、余剰部分のみを解析し、Ｍｓｇ１に基づくシステムインフォメーション要求に対する応答を取得するステップと、
Ｍｓｇ１に基づくシステムインフォメーション要求以外のランダムアクセス要求のみが端末から送信された場合、端末がＭｓｇ１に基づくシステムインフォメーション要求に対し応答を行うＭＡＣ  ｓｕｂＰＤＵを含む可能性のある余剰部分を廃棄し、ＭＡＣ  ＲＡＲを含むＭＡＣ  ｓｕｂＰＤＵを並行して解析し、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを解析すると、ほかのＭＡＣ  ｓｕｂＰＤＵをすべて廃棄するステップとをさらに含む、請求項２１に記載のランダムアクセス応答方法。
【請求項２３】
基地局に応用されるランダムアクセス応答装置において、
ランダムアクセス応答メッセージを端末に送信するための送信モジュールを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答装置。
【請求項２４】
前記ＭＡＣ  ｓｕｂＰＤＵは、第１ＭＡＣサブヘッダのみを含む第１ＭＡＣ  ｓｕｂＰＤＵを含む、請求項２３に記載のランダムアクセス応答装置。
【請求項２５】
前記第１ＭＡＣサブヘッダは、ＢＩを含むサブヘッダである、請求項２４に記載のランダムアクセス応答装置。
【請求項２６】
前記ランダムアクセス応答メッセージには、前記第１ＭＡＣ  ｓｕｂＰＤＵがほかのＭＡＣ  ｓｕｂＰＤＵの前に排列されている、請求項２５に記載のランダムアクセス応答装置。
【請求項２７】
前記第１ＭＡＣサブヘッダは、Ｍｓｇ１に基づくシステムインフォメーション要求に対し応答を行うＭＡＣサブヘッダである、請求項２４に記載のランダムアクセス応答装置。
【請求項２８】
前記第１ＭＡＣ  ｓｕｂＰＤＵは、前記ランダムアクセス応答メッセージのＭＡＣ  ＰＤＵの所定位置に位置する、請求項２７に記載のランダムアクセス応答装置。
【請求項２９】
前記所定位置は、
全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である、請求項２８に記載のランダムアクセス応答装置。
【請求項３０】
メモリと、プロセッサと、メモリに記憶されてプロセッサで実行可能なコンピュータプログラムを含む基地局であって、
前記プロセッサが前記コンピュータプログラムを実行すると、請求項１〜７のいずれか一項に記載の方法が実現される、基地局。
【請求項３１】
コンピュータプログラムが記憶されているコンピュータ読み取り可能な記憶媒体であって、
当該コンピュータプログラムがプロセッサによって実行されると、請求項１〜７のいずれか一項に記載の方法が実現される、コンピュータ読み取り可能な記憶媒体。
【請求項３２】
端末に応用されるランダムアクセス応答装置において、
基地局から送信されるランダムアクセス応答メッセージを受信するための受信モジュールを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答装置。
【請求項３３】
前記ＭＡＣ  ｓｕｂＰＤＵは、第１ＭＡＣサブヘッダのみを含む第１ＭＡＣ  ｓｕｂＰＤＵを含む、請求項３２に記載のランダムアクセス応答装置。
【請求項３４】
前記第１ＭＡＣサブヘッダは、ＢＩを含むサブヘッダである、請求項３３に記載のランダムアクセス応答装置。
【請求項３５】
前記ランダムアクセス応答メッセージには、前記第１ＭＡＣ  ｓｕｂＰＤＵがほかのＭＡＣ  ｓｕｂＰＤＵの前に排列されている、請求項３４に記載のランダムアクセス応答装置。
【請求項３６】
前記第１ＭＡＣサブヘッダは、Ｍｓｇ１に基づくシステムインフォメーション要求に対し応答を行うＭＡＣサブヘッダである、請求項３３に記載のランダムアクセス応答装置。
【請求項３７】
前記第１ＭＡＣ  ｓｕｂＰＤＵは、前記ランダムアクセス応答メッセージのＭＡＣ  ＰＤＵの所定位置に位置する、請求項３６に記載のランダムアクセス応答装置。
【請求項３８】
前記所定位置は、
全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である、請求項３７に記載のランダムアクセス応答装置。
【請求項３９】
基地局から送信されるランダムアクセス応答メッセージを受信した後に、前記ランダムアクセス応答メッセージを解析するための解析モジュールをさらに含む、請求項３３〜３８のいずれか一項に記載のランダムアクセス応答装置。
【請求項４０】
前記解析モジュールは、
前記ランダムアクセス応答メッセージの１つめのＭＡＣ  ｓｕｂＰＤＵを解析するための第１解析サブモジュールと、
１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するための第１分割サブモジュールと、
各々のＭＡＣ  ｓｕｂＰＤＵを並行して解析するための第１並行解析サブモジュールとを含む、請求項３９に記載のランダムアクセス応答装置。
【請求項４１】
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するための第２分割サブモジュールと、
各々のＭＡＣ  ｓｕｂＰＤＵを並行して解析するための第２並行解析サブモジュールとをさらに含む、請求項４０に記載のランダムアクセス応答装置。
【請求項４２】
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するための第２解析サブモジュールと、
Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するための第３解析サブモジュールと、
３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するための第３分割サブモジュールと、
各々のＭＡＣ  ｓｕｂＰＤＵを並行して解析するための第３並行解析サブモジュールとをさらに含む、請求項４０に記載のランダムアクセス応答装置。
【請求項４３】
前記解析モジュールは、
各々のＭＡＣ  ｓｕｂＰＤＵを並行して解析した後に、そのうち１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するための第１処理サブモジュールをさらに含む、請求項４０に記載のランダムアクセス応答装置。
【請求項４４】
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するための第４分割サブモジュールをさらに含む、請求項４０に記載のランダムアクセス応答装置。
【請求項４５】
前記解析モジュールは、
ＭＡＣ  ＲＡＲを含む各々のＭＡＣ  ｓｕｂＰＤＵをそれぞれ並行して解析し、含まれる可能性があれば、Ｍｓｇ１に基づくシステムインフォメーション要求に対し応答を行うＭＡＣ  ｓｕｂＰＤＵを解析するための第４解析サブモジュールをさらに含む、請求項４４に記載のランダムアクセス応答装置。
【請求項４６】
前記解析モジュールは、
Ｍｓｇ１に基づくシステムインフォメーション要求ともう１つのランダムアクセス要求の両方が端末から送信された場合、ＭＡＣ  ＲＡＲを含むＭＡＣ  ｓｕｂＰＤＵから、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを、端末によって解析すると、ほかのＭＡＣ  ＲＡＲを含むＭＡＣ  ｓｕｂＰＤＵを廃棄するための第２処理サブモジュールと、
Ｍｓｇ１に基づくシステムインフォメーション要求のみが端末から送信された場合、端末がＭＡＣ  ＲＡＲを含むＭＡＣ  ｓｕｂＰＤＵをすべて廃棄し、余剰部分のみを解析し、Ｍｓｇ１に基づくシステムインフォメーション要求に対する応答を取得するための第３処理サブモジュールと、
Ｍｓｇ１に基づくシステムインフォメーション要求以外のランダムアクセス要求のみが端末から送信された場合、端末がＭｓｇ１に基づくシステムインフォメーション要求に対し応答を行うＭＡＣ  ｓｕｂＰＤＵを含む可能性のある余剰部分を廃棄し、ＭＡＣ  ＲＡＲを含むＭＡＣ  ｓｕｂＰＤＵを並行して解析し、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを解析すると、ほかのＭＡＣ  ｓｕｂＰＤＵをすべて廃棄するための第４処理サブモジュールとをさらに含む、請求項４５に記載のランダムアクセス応答装置。
【請求項４７】
メモリと、プロセッサと、メモリに記憶されてプロセッサで実行可能なコンピュータプログラムを含む端末であって、
前記プロセッサが前記コンピュータプログラムを実行すると、請求項８〜２２のいずれか一項に記載の方法が実現される、端末。
【請求項４８】
コンピュータプログラムが記憶されているコンピュータ読み取り可能な記憶媒体であって、
当該コンピュータプログラムがプロセッサによって実行されると、請求項８〜２２のいずれか一項に記載の方法が実現される、コンピュータ読み取り可能な記憶媒体。
【発明の詳細な説明】
【技術分野】
【０００１】
本開示は、通信技術分野に係り、特にランダムアクセス応答方法、装置、基地局および端末に係る。
＜優先権主張の表示＞
本願は、２０１７年８月１１日に中国特許庁に提出された中国特許出願２０１７１０６８７８８８．４の優先権を主張し、その全ての内容が援用によりここに取り込まれる。
【背景技術】
【０００２】
ＬＴＥ（Ｌｏｎｇ  Ｔｅｒｍ  Ｅｖｏｌｕｔｉｏｎ）システムとＮＲ（Ｎｅｗ  Ｒａｄｉｏ）システムのランダムアクセスは、競合ランダムアクセスと非競合ランダムアクセスの２種類に分けられる。
【０００３】
ＬＴＥシステムの競合ランダムアクセスは、（１）端末の初期アクセス、（２）ＲＲＣ（Ｒａｄｉｏ  Ｒｅｓｏｕｒｃｅ  Ｃｏｎｔｒｏｌ）接続の再確立および切り替え、（３）非同期状態でＲＲＣ接続状態におけるダウンリンクデータの到達、（４）ＲＲＣ接続状態におけるアップリンクデータの到達、（５）ＲＲＣ接続状態におけるロケーションに用いられる。ＮＲシステムにおいて、システムインフォメーション要求、非活性化状態ＵＥ（Ｕｓｅｒ  Ｅｑｕｉｐｍｅｎｔ）の接続復帰なども導入されている。競合ランダムアクセスプロセスは、図１に示すように、主に４つのステップに分けられる。
【０００４】
Ｍｓｇ１：ＵＥは、ランダムアクセスプリアンブルＰｒｅａｍｂｌｅとランダムアクセスリソースＰＲＡＣＨ（Ｐｈｙｓｉｃａｌ  Ｒａｎｄｏｍ  Ａｃｃｅｓｓ  Ｃｈａｎｎｅｌ）を選択し、選択したＰＲＡＣＨリソースにおいて、選択したランダムアクセスプリアンブルＰｒｅａｍｂｌｅを基地局に送信する。ＮＲシステムにおいて、Ｍｓｇ１に基づくシステムインフォメーション要求「Ｍｓｇ１  ｂａｓｅｄ  ＳＩ  ｒｅｑｕｅｓｔ」に対し、特定のＰｒｅａｍｂｌｅおよび／またはＰＲＡＣＨリソースをリザーブする。
【０００５】
Ｍｓｇ２：基地局は、ランダムアクセス要求Ｍｓｇ１を受信すると、アップリンクタイミングアドバンス量と、Ｍｓｇ３に割り当てられるアップリンクリソースＵＬ  ｇｒａｎｔと、ネットワーク側から割り当てられる一時的Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を含むランダムアクセス応答をＵＥに送信する。Ｍｓｇ２スケジューリングメッセージを搬送するＰＤＣＣＨ（Ｐｈｙｓｉｃａｌ  Ｄｏｗｎｌｉｎｋ  Ｃｏｎｔｒｏｌ  Ｃｈａｎｎｅｌ）は、ＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）でスクランブリングされ、Ｍｓｇ２にはＰｒｅａｍｂｌｅ  ＩＤも付帯される。ＵＥは、送信したＭｓｇ１に当該Ｍａｇ２が対応することを、ＲＡ−ＲＮＴＩとＰｒｅａｍｂｌｅ  ＩＤによって特定する。ＮＲシステムにおいて、Ｍｓｇ１に基づくシステムインフォメーション要求に対し、Ｍｓｇ２には、Ｍｓｇ１に対応するＰｒｅａｍｂｌｅ  ＩＤ情報のみを含み、それ以外の内容がない。Ｍｓｇ１に基づくシステムインフォメーション要求シーンの場合、ランダムアクセスプロセスがＭｓｇ２をもって終了する。すなわち、受信したＭｓｇ２には、Ｍｓｇ１で送信されたＰｒｅａｍｂｌｅに対応するＰｒｅａｍｂｌｅ  ＩＤが含まれるのであれば、Ｍｓｇ１に基づくシステムインフォメーション要求プロセスが完成したと見なす。
【０００６】
Ｍｓｇ３：ＵＥは、Ｍｓｇ２で指定されるＵＬ  ｇｒａｎｔでアップリンク伝送を送信する。ランダムアクセスは、Ｍｓｇ３のアップリンク伝送の内容ごとに異なる。たとえば初期アクセスの場合、Ｍｓｇ３で伝送されるのは、ＲＲＣ接続確立要求である。
【０００７】
Ｍｓｇ４：競合解決メッセージである。ＵＥは、Ｍｓｇ４に基づいて、ランダムアクセスが成功したかを判断可能である。初期アクセスＵＥの場合、競合解決が成功すると、一時的Ｃ−ＲＮＴＩは、当該セルにおけるＵＥの一義的なＵＥ  ＩＤのＣ−ＲＮＴＩに自動的に変換される。
【０００８】
非競合ランダムアクセスは、切り替え、ダウンリンクデータの到達、ロケーションおよびアップリンクタイミングの取得に用いられる。そのプロセスは、図２に示すように、主に３つのステップに分けられる。
【０００９】
Ｍｓｇ０：基地局は、非競合ランダムアクセス用の専用Ｐｒｅａｍｂｌｅおよびランダムアクセスに用いられるＰＲＡＣＨリソースをＵＥに割り当てる。
【００１０】
Ｍｓｇ１：ＵＥは、Ｍｓｇ０の指示に基づいて、指定されたＰＲＡＣＨリソースにおいて、指定された専用Ｐｒｅａｍｂｌｅを基地局に送信する。基地局は、Ｍｓｇ１を受信すると、Ｍｓｇ１に基づいて、アップリンクタイミングアドバンス量ＴＡを算出する。
【００１１】
Ｍｓｇ２：基地局は、ＵＥの後のアップリンク伝送のタイミング関係用のタイミングアドバンス量情報と、後のアップリンク伝送のリソース割り当てＵＬ  ｇｒａｎｔとを含むランダムアクセス応答をＵＥに送信する。
【００１２】
ＬＴＥシステムにおいて、ランダムアクセス応答メッセージのＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔａ  Ｕｎｉｔ）は、１つのＭＡＣヘッダと、可能性があれば複数のＭＡＣ  ＲＡＲ（Ｍｅｄｉａ  Ａｃｃｅｓｓ  Ｃｏｎｔｒｏｌ  Ｒａｎｄｏｍ  Ａｃｃｅｓｓ  Ｒｅｓｐｏｎｓｅ）を含む。ＭＡＣヘッダは、１つまたは複数のＭＡＣサブヘッダから構成される。１つのＭＡＣ  ＰＤＵでは、ＭＡＣ  ＲＡＲに対応しないＢＩ（Ｂａｃｋ  ｏｆｆ  Ｉｎｄｉｃａｔｏｒ）サブヘッダが最多で１つしか現れず、ほかのＭＡＣサブヘッダがそれぞれ１つのＭＡＣ  ＲＡＲに対応する。
【００１３】
ＬＴＥシステムにおいて、ＭＡＣサブヘッダのフォーマットは、ＢＩが付帯されるものと、ＲＡＰＩＤ（Ｒａｎｄｏｍ  Ａｃｃｅｓｓ  Ｐｒｅａｍｂｌｅ  ＩＤ）が含まれるものの２種類があり、Ｐｒｅａｍｂｌｅ  ＩＤが付帯されるサブヘッダは、常に１つのＭＡＣ  ＲＡＲに対応する。具体的なフォーマットは、図３〜図６に示されている。
【００１４】
ＮＲシステムにおいて、ランダムアクセス応答ＭＡＣ  ＰＤＵのフォーマットが定義されておらず、１つの方式としてＬＴＥのフォーマットをそのまま用いることである。一方、ＬＴＥシステムにおいて、ＵＥは、ＭＡＣヘッダにおける各々のＭＡＣサブヘッダを順に解析し、サブヘッダを解析しきってから初めてＭＡＣ  ＲＡＲの受信ができるようになる。当該ＵＥに対するＭＡＣ  ＲＡＲが後方にある場合、ＵＥは、自身のＭＡＣ  ＲＡＲを解析するまで、ほかのＭＡＣ  ＲＡＲを順に廃棄する必要がある。当該方法は、処理効率が低く、Ｍｓｇ２とＭｓｇ３との間の遅延が長く、かつ端末の電気消費が増加するという問題につながる。
【発明の概要】
【発明が解決しようとする課題】
【００１５】
本開示は、ランダムアクセス応答メッセージを解析する処理効率が低く、かつＭｓｇ２とＭｓｇ３との間の遅延が長く、かつ端末の電気消費が増加するという従来の問題を解決するために、ランダムアクセス応答方法、装置、基地局および端末を提供することを目的とする。
【課題を解決するための手段】
【００１６】
第１方面において、本開示の一部の実施例は、基地局に応用されるランダムアクセス応答方法を提供する。当該方法において、ランダムアクセス応答メッセージを端末に送信するステップを含む。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００１７】
ここで、前記ＭＡＣ  ｓｕｂＰＤＵは、第１ＭＡＣサブヘッダのみを含む第１ＭＡＣ  ｓｕｂＰＤＵを含む。
【００１８】
ここで、前記第１ＭＡＣサブヘッダは、ＢＩを含むサブヘッダである。
【００１９】
ここで、前記ランダムアクセス応答メッセージには、前記第１ＭＡＣ  ｓｕｂＰＤＵがほかのＭＡＣ  ｓｕｂＰＤＵの前に排列されている。
【００２０】
ここで、前記第１ＭＡＣサブヘッダは、Ｍｓｇ１に基づくシステムインフォメーション要求に対し応答を行うＭＡＣサブヘッダである。
【００２１】
ここで、前記第１ＭＡＣ  ｓｕｂＰＤＵは、前記ランダムアクセス応答メッセージのＭＡＣ  ＰＤＵの所定位置に位置する。
【００２２】
ここで、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【００２３】
第２方面において、本開示の一部実施例は、端末に応用されるランダムアクセス応答方法を提供する。当該方法において、基地局から送信されるランダムアクセス応答メッセージを受信するステップを含む。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００２４】
ここで、前記ＭＡＣ  ｓｕｂＰＤＵは、第１ＭＡＣサブヘッダのみを含む第１ＭＡＣ  ｓｕｂＰＤＵを含む。
【００２５】
ここで、前記第１ＭＡＣサブヘッダは、ＢＩを含むサブヘッダである。
【００２６】
ここで、前記ランダムアクセス応答メッセージには、前記第１ＭＡＣ  ｓｕｂＰＤＵがほかのＭＡＣ  ｓｕｂＰＤＵの前に排列されている。
【００２７】
ここで、前記第１ＭＡＣサブヘッダは、Ｍｓｇ１に基づくシステムインフォメーション要求に対し応答を行うＭＡＣサブヘッダである。
【００２８】
ここで、前記第１ＭＡＣ  ｓｕｂＰＤＵは、前記ランダムアクセス応答メッセージのＭＡＣ  ＰＤＵの所定位置に位置する。
【００２９】
ここで、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【００３０】
ここで、基地局から送信されるランダムアクセス応答メッセージを受信するステップの後に、前記方法において、前記ランダムアクセス応答メッセージを解析するステップをさらに含む。
【００３１】
ここで、前記ランダムアクセス応答メッセージを解析するステップは、前記ランダムアクセス応答メッセージの１つめのＭＡＣ  ｓｕｂＰＤＵを解析するステップと、１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するステップと、各々のＭＡＣ  ｓｕｂＰＤＵを並行して解析するステップとを含む。
【００３２】
ここで、前記の前記ランダムアクセス応答メッセージの１つめのＭＡＣ  ｓｕｂＰＤＵを解析するステップの後に、前記方法において、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するステップと、各々のＭＡＣ  ｓｕｂＰＤＵを並行して解析するステップとをさらに含む。
【００３３】
ここで、前記の前記ランダムアクセス応答メッセージの１つめのＭＡＣ  ｓｕｂＰＤＵを解析するステップの後に、前記方法において、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するステップと、Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するステップと、３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するステップと、各々のＭＡＣ  ｓｕｂＰＤＵを並行して解析するステップとをさらに含む。
【００３４】
ここで、前記の各々のＭＡＣ  ｓｕｂＰＤＵを並行して解析するステップの後に、前記方法において、そのうちの１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するステップをさらに含む。
【００３５】
ここで、前記の前記ランダムアクセス応答メッセージの１つめのＭＡＣ  ｓｕｂＰＤＵを解析するステップの後に、前記方法において、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するステップをさらに含む。
【００３６】
ここで、前記のＭＡＣ  ＲＡＲを含む各々のＭＡＣ  ｓｕｂＰＤＵを取得するステップの後に、前記方法において、ＭＡＣ  ＲＡＲを含む各々のＭＡＣ  ｓｕｂＰＤＵをそれぞれ並行して解析し、含まれる可能性があれば、Ｍｓｇ１に基づくシステムインフォメーション要求に対し応答を行うＭＡＣ  ｓｕｂＰＤＵを解析するステップをさらに含む。
【００３７】
ここで、前記方法において、Ｍｓｇ１に基づくシステムインフォメーション要求ともう１つのランダムアクセス要求の両方が端末から送信された場合、ＭＡＣ  ＲＡＲを含むＭＡＣ  ｓｕｂＰＤＵから、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを、端末によって解析すると、ほかのＭＡＣ  ＲＡＲを含むＭＡＣ  ｓｕｂＰＤＵを廃棄するステップと、Ｍｓｇ１に基づくシステムインフォメーション要求のみが端末から送信された場合、端末がＭＡＣ  ＲＡＲを含むＭＡＣ  ｓｕｂＰＤＵをすべて廃棄し、余剰部分のみを解析し、Ｍｓｇ１に基づくシステムインフォメーション要求に対する応答を取得するステップと、Ｍｓｇ１に基づくシステムインフォメーション要求以外のランダムアクセス要求のみが端末から送信された場合、端末がＭｓｇ１に基づくシステムインフォメーション要求に対し応答を行うＭＡＣ  ｓｕｂＰＤＵを含む可能性のある余剰部分を廃棄し、ＭＡＣ  ＲＡＲを含むＭＡＣ  ｓｕｂＰＤＵを並行して解析し、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを解析すると、ほかのＭＡＣ  ｓｕｂＰＤＵをすべて廃棄するステップとをさらに含む。
【００３８】
第３方面において、本開示の一部の実施例は、基地局に応用されるランダムアクセス応答装置を提供する。当該装置は、ランダムアクセス応答メッセージを端末に送信するための送信モジュールを含む。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００３９】
ここで、前記ＭＡＣ  ｓｕｂＰＤＵは、第１ＭＡＣサブヘッダのみを含む第１ＭＡＣ  ｓｕｂＰＤＵを含む。
【００４０】
ここで、前記第１ＭＡＣサブヘッダは、ＢＩを含むサブヘッダである。
【００４１】
ここで、前記ランダムアクセス応答メッセージには、前記第１ＭＡＣ  ｓｕｂＰＤＵがほかのＭＡＣ  ｓｕｂＰＤＵの前に排列されている。
【００４２】
ここで、前記第１ＭＡＣサブヘッダは、Ｍｓｇ１に基づくシステムインフォメーション要求に対し応答を行うＭＡＣサブヘッダである。
【００４３】
ここで、前記第１ＭＡＣ  ｓｕｂＰＤＵは、前記ランダムアクセス応答メッセージのＭＡＣ  ＰＤＵの所定位置に位置する。
【００４４】
ここで、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【００４５】
第４方面において、本開示の一部の実施例は、メモリと、プロセッサと、メモリに記憶されてプロセッサで実行可能なコンピュータプログラムを含む基地局をさらに提供する。前記プロセッサが前記コンピュータプログラムを実行すると、ランダムアクセス応答メッセージを端末に送信するステップが実現される。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００４６】
第５方面において、本開示の一部の実施例は、コンピュータプログラムが記憶されているコンピュータ読み取り可能な記憶媒体をさらに提供する。当該コンピュータプログラムがプロセッサによって実行されると、ランダムアクセス応答メッセージを端末に送信するステップが実現される。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００４７】
第６方面において、本開示の一部の実施例は、端末に応用されるランダムアクセス応答装置をさらに提供する。当該装置は、基地局から送信されるランダムアクセス応答メッセージを受信するための受信モジュールを含む。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００４８】
ここで、前記ＭＡＣ  ｓｕｂＰＤＵは、第１ＭＡＣサブヘッダのみを含む第１ＭＡＣ  ｓｕｂＰＤＵを含む。
【００４９】
ここで、前記第１ＭＡＣサブヘッダは、ＢＩを含むサブヘッダである。
【００５０】
ここで、前記ランダムアクセス応答メッセージには、前記第１ＭＡＣ  ｓｕｂＰＤＵがほかのＭＡＣ  ｓｕｂＰＤＵの前に排列されている。
【００５１】
ここで、前記第１ＭＡＣサブヘッダは、Ｍｓｇ１に基づくシステムインフォメーション要求に対し応答を行うＭＡＣサブヘッダである。
【００５２】
ここで、前記第１ＭＡＣ  ｓｕｂＰＤＵは、前記ランダムアクセス応答メッセージのＭＡＣ  ＰＤＵの所定位置に位置する。
【００５３】
ここで、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【００５４】
ここで、前記装置は、基地局から送信されるランダムアクセス応答メッセージを受信した後に、前記ランダムアクセス応答メッセージを解析するための解析モジュールをさらに含む。
【００５５】
ここで、前記解析モジュールは、前記ランダムアクセス応答メッセージの１つめのＭＡＣ  ｓｕｂＰＤＵを解析するための第１解析サブモジュールと、１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するための第１分割サブモジュールと、各々のＭＡＣ  ｓｕｂＰＤＵを並行して解析するための第１並行解析サブモジュールとを含む。
【００５６】
ここで、前記解析モジュールは、前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するための第２分割サブモジュールと、各々のＭＡＣ  ｓｕｂＰＤＵを並行して解析するための第２並行解析サブモジュールとをさらに含む。
【００５７】
ここで、前記解析モジュールは、前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するための第２解析サブモジュールと、Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するための第３解析サブモジュールと、３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するための第３分割サブモジュールと、各々のＭＡＣ  ｓｕｂＰＤＵを並行して解析するための第３並行解析サブモジュールとをさらに含む。
【００５８】
ここで、前記解析モジュールは、各々のＭＡＣ  ｓｕｂＰＤＵを並行して解析した後に、そのうち１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するための第１処理サブモジュールをさらに含む。
【００５９】
ここで、前記解析モジュールは、前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するための第４分割サブモジュールをさらに含む。
【００６０】
ここで、前記解析モジュールは、ＭＡＣ  ＲＡＲを含む各々のＭＡＣ  ｓｕｂＰＤＵをそれぞれ並行して解析し、含まれる可能性があれば、Ｍｓｇ１に基づくシステムインフォメーション要求に対し応答を行うＭＡＣ  ｓｕｂＰＤＵを解析するための第４解析サブモジュールをさらに含む。
【００６１】
ここで、前記解析モジュールは、Ｍｓｇ１に基づくシステムインフォメーション要求ともう１つのランダムアクセス要求の両方が端末から送信された場合、ＭＡＣ  ＲＡＲを含むＭＡＣ  ｓｕｂＰＤＵから、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを、端末によって解析すると、ほかのＭＡＣ  ＲＡＲを含むＭＡＣ  ｓｕｂＰＤＵを廃棄するための第２処理サブモジュールと、Ｍｓｇ１に基づくシステムインフォメーション要求のみが端末から送信された場合、端末がＭＡＣ  ＲＡＲを含むＭＡＣ  ｓｕｂＰＤＵをすべて廃棄し、余剰部分のみを解析し、Ｍｓｇ１に基づくシステムインフォメーション要求に対する応答を取得するための第３処理サブモジュールと、Ｍｓｇ１に基づくシステムインフォメーション要求以外のランダムアクセス要求のみが端末から送信された場合、端末がＭｓｇ１に基づくシステムインフォメーション要求に対し応答を行うＭＡＣ  ｓｕｂＰＤＵを含む可能性のある余剰部分を廃棄し、ＭＡＣ  ＲＡＲを含むＭＡＣ  ｓｕｂＰＤＵを並行して解析し、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを解析すると、ほかのＭＡＣ  ｓｕｂＰＤＵをすべて廃棄するための第４処理サブモジュールとをさらに含む。
【００６２】
第７方面において、本開示の一部の実施例は、メモリと、プロセッサと、メモリに記憶されてプロセッサで実行可能なコンピュータプログラムを含む端末をさらに提供する。前記プロセッサが前記コンピュータプログラムを実行すると、基地局から送信されるランダムアクセス応答メッセージを受信するステップが実現される。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００６３】
第８方面において、本開示の一部の実施例は、コンピュータプログラムが記憶されているコンピュータ読み取り可能な記憶媒体をさらに提供する。当該コンピュータプログラムがプロセッサによって実行されると、基地局から送信されるランダムアクセス応答メッセージを受信するステップが実現される。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００６４】
全体的に言えば、本開示には、３種類のＭＡＣ  ｓｕｂＰＤＵを有する可能性がある。第１種類として、ＢＩを含むＭＡＣサブヘッダのみを含むＭＡＣ  ｓｕｂＰＤＵであり、すなわち第１種類の第１ＭＡＣ  ｓｕｂＰＤＵである。第２種類として、ＲＡＰＩＤを含むＭＡＣサブヘッダのみを含むＭＡＣ  ｓｕｂＰＤＵであり、すなわち第２種類の第１ＭＡＣ  ｓｕｂＰＤＵであり、当該ＲＡＰＩＤとして、Ｍｓｇ１に基づくシステムインフォメーション要求に対してリザーブされるｐｒｅａｍｂｌｅ  ＩＤに一致する。第３種類として、ＭＡＣサブヘッダとＭＡＣ  ＲＡＲの両方を含むＭＡＣ  ｓｕｂＰＤＵであり、すなわち第２ＭＡＣ  ｓｕｂＰＤＵである。各々のＭＡＣ  ｓｕｂＰＤＵの内容は、互いに完全に独立する。
【００６５】
本開示の上記順番で発生したステップにおいて、先の解析が成功しないと、解析フローが終了するまで、直接的に次の手順にスキップする。
【発明の効果】
【００６６】
本開示の一部実施例の上記技術手段において、基地局によってランダムアクセス応答メッセージを端末に送信し、端末が基地局から送信されるランダムアクセス応答メッセージを受信して当該ランダムアクセス応答メッセージを解析する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。基地局ｇＮＢは、１つのＭＡＣ  ＰＤＵにおいて、複数の端末、多種類のリクエストからのランダムアクセス要求に応答することができるため、ランダムアクセス応答の迅速なフィードバックを実現することができるとともに、時間周波数リソースを効果的に節約することもできる。端末ＵＥの各々は、本開示に固有の互いに独立したＭＡＣ  ｓｕｂＰＤＵ設計によって、ＭＡＣ  ＰＤＵを迅速に分割し、ＭＡＣ  ｓｕｂＰＤＵを並行して解析することで、自端末に対するランダムアクセス要求の応答を迅速に取得し、冗長情報を廃棄するため、ランダムアクセス遅延を小さくするとともに、端末の節電を実現する。
【図面の簡単な説明】
【００６７】
【図１】図１は、ＬＴＥシステムとＮＲシステムの競合ランダムアクセスのフローチャートである。
【図２】図２は、ＬＴＥシステムとＮＲシステムの非競合ランダムアクセスのフローチャートである。
【図３】図３は、ＬＴＥシステムにおけるランダムアクセス応答メッセージのＭＡＣ  ＰＤＵの構造図である。
【図４】図４は、図３におけるＲＡＰＩＤが付帯されるＭＡＣサブヘッダの構造図である。
【図５】図５は、図３におけるＢＩが付帯されるＭＡＣサブヘッダの構造図である。
【図６】図６は、図３におけるＭＡＣ  ＲＡＲＡの構造図である。
【図７】図７は、本開示の一部実施例におけるランダムアクセス応答方法の動作フローその１である。
【図８】図８は、本開示のランダムアクセス応答メッセージのＭＡＣ  ＰＤＵの構造図である。
【図９】図９は、本開示でＭｓｇ１  ｂａｓｅｄ  ＳＩ  ｒｅｑｕｅｓｔに対し応答するＭＡＣ  ｓｕｂＰＤＵのＭＡＣ  ＰＤＵにおける位置図その１である。
【図１０】図１０は、本開示でＭｓｇ１  ｂａｓｅｄ  ＳＩ  ｒｅｑｕｅｓｔに対し応答するＭＡＣ  ｓｕｂＰＤＵのＭＡＣ  ＰＤＵにおける位置図その２である。
【図１１】図１１は、本開示の一部実施例におけるランダムアクセス応答方法の動作フローその２である。
【図１２】図１２は、本開示のランダムアクセス応答メッセージのＭＡＣ  ＰＤＵには、ＭＡＣ  ＲＡＲを含むＭＡＣ  ｓｕｂＰＤＵのみを含む構造図である。
【図１３】図１３は、本開示のランダムアクセス応答メッセージのＭＡＣ  ＰＤＵには、ＢＩを含むＭＡＣ  ｓｕｂＰＤＵと、ＭＡＣ  ＲＡＲを含むＭＡＣ  ｓｕｂＰＤＵを含む構造図である。
【図１４】図１４は、本開示のランダムアクセス応答メッセージのＭＡＣ  ＰＤＵには、ＢＩを含むＭＡＣ  ｓｕｂＰＤＵと、ＭＡＣ  ＲＡＲを含むＭＡＣ  ｓｕｂＰＤＵと、Ｍｓｇ１  ｂａｓｅｄ  ＳＩ  ｒｅｑｕｅｓｔに対し応答するＭＡＣ  ｓｕｂＰＤＵを含む構造図その１である。
【図１５】図１５は、本開示のランダムアクセス応答メッセージのＭＡＣ  ＰＤＵには、ＢＩを含むＭＡＣ  ｓｕｂＰＤＵと、ＭＡＣ  ＲＡＲを含むＭＡＣ  ｓｕｂＰＤＵと、Ｍｓｇ１  ｂａｓｅｄ  ＳＩ  ｒｅｑｕｅｓｔに対し応答するＭＡＣ  ｓｕｂＰＤＵを含む構造図その２である。
【図１６】図１６は、本開示の一部実施例におけるランダムアクセス応答装置のモジュール図その１である。
【図１７】図１７は、本開示の一部実施例における基地局の構造ブロック図である。
【図１８】図１８は、本開示の一部実施例におけるランダムアクセス応答装置のモジュール図その２である。
【図１９】図１９は、本開示の一部実施例における端末の構造ブロック図である。
【発明を実施するための形態】
【００６８】
以下、本開示の一部の実施例の図面を参照しながら、本開示の一部の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、本開示の保護範囲に属するものである。
【００６９】
本開示の一部の実施例は、ランダムアクセス応答方法、装置、基地局および端末を提供し、ランダムアクセス応答メッセージを解析する処理効率が低く、かつＭｓｇ２とＭｓｇ３との間の遅延が長く、かつ端末の電気消費が増加するという従来技術の問題を解決している。
【００７０】
図７に示すように、本開示の一部の実施例は、ランダムアクセス応答方法を提供する。当該方法は、基地局に応用され、ステップ１０１を含む。
【００７１】
ステップ１０１において、ランダムアクセス応答メッセージを端末に送信する。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００７２】
ここで、図８に示すように、本開示では、１種のＭＡＣ  ＰＤＵ構造が定義されている。
【００７３】
具体的に、当該ＭＡＣ  ＰＤＵでは、各々のＭＡＣサブヘッダおよびそれに対応するＭＡＣ  ＲＡＲによって１つのＭＡＣサブＰＤＵ、すなわちＭＡＣ  ｓｕｂＰＤＵを構成する。対応するＭＡＣ  ＲＡＲがなければ、当該ＭＡＣサブヘッダは、単独で１つのＭＡＣサブＰＤＵを構成する。すべてのＭＡＣサブＰＤＵは、順に排列する。
【００７４】
本開示の一部実施例のランダムアクセス応答方法において、基地局によってランダムアクセス応答メッセージを端末に送信する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。よって、基地局ｇＮＢは、複数の端末、多種類のリクエストからのランダムアクセス要求に迅速に応答することができる。
【００７５】
選択可能に、前記ＭＡＣ  ｓｕｂＰＤＵは、第１ＭＡＣサブヘッダのみを含む第１ＭＡＣ  ｓｕｂＰＤＵを含む。
【００７６】
具体的に、前記第１ＭＡＣサブヘッダは、ＢＩを含むサブヘッダである。
【００７７】
さらに、前記ランダムアクセス応答メッセージには、前記第１ＭＡＣ  ｓｕｂＰＤＵがほかのＭＡＣ  ｓｕｂＰＤＵの前に排列されている。
【００７８】
ここで、第１ＭＡＣ  ｓｕｂＰＤＵでは、ＢＩのサブヘッダを含む。当該第１ＭＡＣ  ｓｕｂＰＤＵは、ＭＡＣ  ＰＤＵの先頭に位置する。
【００７９】
選択可能に、前記第１ＭＡＣサブヘッダは、Ｍｓｇ１に基づくシステムインフォメーション要求に対し応答を行うＭＡＣサブヘッダである。
【００８０】
なお、ＮＲシステムにおいて、ＢＩを含むＭＡＣサブヘッダとＭＡＣ  ＲＡＲに対応するサブヘッダのほかに、Ｍｓｇ１  ｂａｓｅｄ  ＳＩ  ｒｅｑｕｅｓｔに対する応答のケースもある。当該応答のＭＡＣサブヘッダのフォーマットは、ＭＡＣ  ＲＡＲに対応するＭＡＣサブヘッダのフォーマットとは同じであり、当該ＭＡＣサブヘッダには対応するＭＡＣ  ＲＡＲがないこととは異なる。
【００８１】
すなわち、Ｍｓｇ１  ｂａｓｅｄ  ＳＩ  ｒｅｑｕｅｓｔに対し応答を行うＭＡＣサブヘッダは、単独で、ＭＡＣサブヘッダのみを含む１つのＭＡＣ  ｓｕｂＰＤＵを構成する。
【００８２】
ここで、前記第１ＭＡＣ  ｓｕｂＰＤＵは、前記ランダムアクセス応答メッセージのＭＡＣ  ＰＤＵの所定位置に位置する。
【００８３】
具体的に、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【００８４】
図９に示すように、Ｍｓｇ１  ｂａｓｅｄ  ＳＩ  ｒｅｑｕｅｓｔに対し応答するＭＡＣ  ｓｕｂＰＤＵのＭＡＣ  ＰＤＵにおける位置図その１である。
【００８５】
なお、当該ＭＡＣ  ＰＤＵのうちの１つめのＭＡＣ  ｓｕｂＰＤＵは、ＢＩを含むＭＡＣサブヘッダである。ＢＩ指示がなければ、当該ＭＡＣ  ｓｕｂＰＤＵは、存在しなくてもよい。２つめのＭＡＣ  ｓｕｂＰＤＵは、Ｍｓｇ１  ｂａｓｅｄ  ＳＩ  ｒｅｑｕｅｓｔに対し応答するＭＡＣ  ｓｕｂＰＤＵである。その後の各々のＭＡＣ  ｓｕｂＰＤＵは、対応するｐｒｅａｍｂｌｅを送信するＵＥに対するランダムアクセス応答である。すなわち、その後の各々のＭＡＣ  ｓｕｂＰＤＵには、ＭＡＣサブヘッダおよびそれに対応するＭＡＣ  ＲＡＲを含む。
【００８６】
図１０に示すように、Ｍｓｇ１  ｂａｓｅｄ  ＳＩ  ｒｅｑｕｅｓｔに対し応答するＭＡＣ  ｓｕｂＰＤＵのＭＡＣ  ＰＤＵにおける位置図その２である。
【００８７】
なお、当該ＭＡＣ  ＰＤＵのうちの１つめのＭＡＣ  ｓｕｂＰＤＵは、ＢＩを含むＭＡＣサブヘッダである。ＢＩ指示がなければ、当該ＭＡＣ  ｓｕｂＰＤＵは、存在しなくてもよい。その後は、ＭＡＣ  ＲＡＲを含むＭＡＣ  ｓｕｂＰＤＵであり、各々のＭＡＣ  ｓｕｂＰＤＵは、対応するｐｒｅａｍｂｌｅを送信するＵＥに対するランダムアクセス応答である。ＭＡＣ  ＲＡＲを含むＭＡＣ  ｓｕｂＰＤＵの後は、Ｍｓｇ１  ｂａｓｅｄ  ＳＩ  ｒｅｑｕｅｓｔに対し応答するＭＡＣ  ｓｕｂＰＤＵである。
【００８８】
すなわち、Ｍｓｇ１  ｂａｓｅｄ  ＳＩ  ｒｅｑｕｅｓｔに対し応答するＭＡＣ  ｓｕｂＰＤＵは、ＭＡＣ  ＲＡＲを含むすべてのＭＡＣ  ｓｕｂＰＤＵより後ろの位置に配列されている。
【００８９】
本開示の一部実施例のランダムアクセス応答方法において、基地局によってランダムアクセス応答メッセージを端末に送信し、端末が基地局から送信されるランダムアクセス応答メッセージを受信して当該ランダムアクセス応答メッセージを解析する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。基地局ｇＮＢは、複数の端末、多種類のリクエストからのランダムアクセス要求に迅速に応答することができる。それだけではなく、端末ＵＥの各々は、自端末に対し送信されるランダムアクセス要求の応答を迅速に受信した解析することができるため、ランダムアクセス遅延を小さくするとともに、端末の節電を実現する。
【００９０】
図１１に示すように、本開示の一部実施例は、ランダムアクセス応答方法をさらに提供する。当該方法は、端末に応用され、ステップ２０１を含む。
【００９１】
ステップ２０１において、基地局から送信されるランダムアクセス応答メッセージを受信する。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【００９２】
ここで、本開示では、図８に示すように、１種のＭＡＣ  ＰＤＵ構造が定義されている。具体的な構造の構成は、基地局側のランダムアクセス応答方法の実施例部分の記載を参照し、ここでは繰り返して記載しない。
【００９３】
本開示の一部実施例のランダムアクセス応答方法において、端末が基地局から送信されるランダムアクセス応答メッセージを受信して当該ランダムアクセス応答メッセージを解析する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。よって、端末ＵＥの各々は、自端末に対し送信されるランダムアクセス要求の応答を迅速に受信した解析することができるため、ランダムアクセス遅延を小さくするとともに、端末の節電を実現する。
【００９４】
選択可能に、前記ＭＡＣ  ｓｕｂＰＤＵは、第１ＭＡＣサブヘッダのみを含む第１ＭＡＣ  ｓｕｂＰＤＵを含む。
【００９５】
具体的に、前記第１ＭＡＣサブヘッダは、ＢＩを含むサブヘッダである。
【００９６】
さらに、前記ランダムアクセス応答メッセージには、前記第１ＭＡＣ  ｓｕｂＰＤＵがほかのＭＡＣ  ｓｕｂＰＤＵの前に排列されている。
【００９７】
ここで、第１ＭＡＣ  ｓｕｂＰＤＵでは、ＢＩのサブヘッダを含む。当該第１ＭＡＣ  ｓｕｂＰＤＵは、ＭＡＣ  ＰＤＵの先頭に排列されている。
【００９８】
選択可能に、前記第１ＭＡＣサブヘッダは、Ｍｓｇ１に基づくシステムインフォメーション要求に対し応答を行うＭＡＣサブヘッダである。
【００９９】
なお、ＮＲシステムにおいて、ＢＩを含むＭＡＣサブヘッダとＭＡＣ  ＲＡＲに対応するサブヘッダのほかに、Ｍｓｇ１  ｂａｓｅｄ  ＳＩ  ｒｅｑｕｅｓｔに対する応答のケースもある。当該応答のＭＡＣサブヘッダのフォーマットは、ＭＡＣ  ＲＡＲに対応するＭＡＣサブヘッダのフォーマットとは同じであり、当該ＭＡＣサブヘッダには対応するＭＡＣ  ＲＡＲがないこととは異なる。
【０１００】
すなわち、Ｍｓｇ１  ｂａｓｅｄ  ＳＩ  ｒｅｑｕｅｓｔに対し応答を行うＭＡＣサブヘッダは、単独で、ＭＡＣサブヘッダのみを含む１つのＭＡＣ  ｓｕｂＰＤＵを構成する。
【０１０１】
ここで、前記第１ＭＡＣ  ｓｕｂＰＤＵは、前記ランダムアクセス応答メッセージのＭＡＣ  ＰＤＵの所定位置に位置する。
【０１０２】
具体的に、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【０１０３】
Ｍｓｇ１  ｂａｓｅｄ  ＳＩ  ｒｅｑｕｅｓｔに対し応答するＭＡＣ  ｓｕｂＰＤＵのＭＡＣ  ＰＤＵにおける具体的な位置について、具体的に図９、図１０およびＭｓｇ１  ｂａｓｅｄ  ＳＩ  ｒｅｑｕｅｓｔに対し応答するＭＡＣ  ｓｕｂＰＤＵを含むＭＡＣ  ＰＤＵ構造の詳細な記載を参照し、基地局側のランダムアクセス応答方法の実施例の関連部分を参照し、ここでは繰り返して記載しない。
【０１０４】
さらに、本開示において、上記ステップ２０１の後に、上記方法ではステップ２０２をさらに含む。
【０１０５】
ステップ２０２において、前記ランダムアクセス応答メッセージを解析する。
【０１０６】
本開示の一部実施例のランダムアクセス応答方法において、端末が基地局から送信されるランダムアクセス応答メッセージを受信して当該ランダムアクセス応答メッセージを解析する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。このように、端末は、各々のＭＡＣサブヘッダおよび対応するＭＡＣ  ＲＡＲを直列に解析する必要がなく、自端末に対し送信されるランダムアクセス要求の応答を迅速に受信した解析することができるため、ランダムアクセス遅延を小さくするとともに、端末の節電を実現する。
【０１０７】
選択可能な実現方式として、上記ステップ２０２は、サブステップ２０２−１〜２０２−３を含む。
【０１０８】
サブステップ２０２−１において、前記ランダムアクセス応答メッセージの１つめのＭＡＣ  ｓｕｂＰＤＵを解析する。
【０１０９】
サブステップ２０２−２において、１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得する。
【０１１０】
サブステップ２０２−３において、各々のＭＡＣ  ｓｕｂＰＤＵを並行して解析する。
【０１１１】
なお、上記ステップ２０２−１〜２０２−３に対応するランダムアクセス応答ＭＡＣ  ＰＤＵには、ＭＡＣ  ＲＡＲを含むＭＡＣ  ｓｕｂＰＤＵのみを有する。これは、最も簡単なＭＡＣ  ＰＤＵ構造である。そのＭＡＣ  ＰＤＵ構造および端末の解析処理手順は、図１２に示されている。
【０１１２】
当該ＭＡＣ  ＰＤＵ構造に基づいて、ランダムアクセスの処理プロセスをより明確に説明するために、以下、基地局側と端末側の両面から記載する。
【０１１３】
１）基地局側
ステップ１：基地局は、端末から同じ時間周波数リソースで送信されるランダムアクセス要求Ｍｓｇ１を受信する。同じ時間周波数リソースでは、異なる端末から異なるプリアンブルが送信される可能性がある。
ステップ２：基地局は、同じ時間周波数リソースでＭｓｇ１を送信する端末に対しランダムアクセス応答Ｍｓｇ２を組織する。同じ時間周波数リソースで異なるプリアンブルを送信する端末に対し、複数のランダムアクセス応答、すなわちＭＡＣ  ＲＡＲは、１つのＭＡＣ  ＰＤＵに組織される。
ここで、本開示の一部実施例で定義されているＭＡＣ  ＰＤＵフォーマットにしたがって組織する。
ステップ３において、基地局は、Ｍｓｇ２で割り当てられたアップリンクリソースに基づいてＭｓｇ３を受信してランダムアクセスの後の操作を行う。
【０１１４】
２）端末側
ステップ１：端末は、基地局から設定されたランダムアクセスリソースに基づいて、ＰＲＡＣＨとｐｒｅａｍｂｌｅを選択してランダムアクセスを引き起こす。
ステップ２：端末は、１つめのＭＡＣ  ｓｕｂＰＤＵのＭＡＣサブヘッダを解析し、ＭＡＣ  ＲＡＲを含むことを特定する。
ステップ３：端末は、ＭＡＣ  ＰＤＵを整数個のＭＡＣ  ｓｕｂＰＤＵに分割し、各々のＭＡＣ  ｓｕｂＰＤＵには、１つのＭＡＣサブヘッダと１つのＭＡＣ  ＲＡＲを含む。端末は、これらのＭＡＣ  ｓｕｂＰＤＵを並行して解析し、当該端末に対するＭＡＣ  ｓｕｂＰＤＵを取得し、すなわち、そのうちの１つのＭＡＣ  ｓｕｂＰＤＵのＭＡＣサブヘッダに含まれるＲＡＰＩＤとして、当該端末からＭｓｇ１を送信する際のランダムアクセスｐｒｅａｍｂｌｅ  ＩＤに一致することを解析すると、ほかのＭＡＣ  ｓｕｂＰＤＵを廃棄する。
ステップ４：端末は、受信したＭＡＣ  ＲＡＲに基づいて、Ｍｓｇ３送信および後の操作を行う。
【０１１５】
さらに、本開示の一部実施例において、上記サブステップ２０２−３の後に、サブステップ２０２−４をさらに含む。
【０１１６】
サブステップ２０２−４において、そのうちの１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄する。
【０１１７】
ここで、本開示の一部実施例のＭＡＣ  ＰＤＵの構造上の特徴として、ＭＡＣ  ＲＡＲを含むＭＡＣ  ｓｕｂＰＤＵの間は互いに独立しかつ並行解析方式が用いられるため、現在の端末からランダムアクセス要求Ｍｓｇ１を送信する際のランダムアクセスｐｒｅａｍｂｌｅ  ＩＤに一致するＭＡＣ  ＲＡＲを含むＭＡＣ  ｓｕｂＰＤＵを迅速に解析することができ、ランダムアクセス遅延を小さくするとともに、端末の節電目的を実現する。
【０１１８】
別の選択可能な実現方式として、ステップ２０２−１の後に、さらにサブステップ２０２−５と２０２−６を含む。
【０１１９】
サブステップ２０２−５において、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得する。
【０１２０】
サブステップ２０２−６において、各々のＭＡＣ  ｓｕｂＰＤＵを並行して解析する。
【０１２１】
なお、上記ステップ２０２−５〜２０２−６に対応するランダムアクセス応答ＭＡＣ  ＰＤＵには、ＢＩを含むＭＡＣ  ｓｕｂＰＤＵと、ＭＡＣ  ＲＡＲを含むＭＡＣ  ｓｕｂＰＤＵを有する。そのＭＡＣ  ＰＤＵ構造および端末の解析処理手順は、図１３に示されている。
【０１２２】
当該ＭＡＣ  ＰＤＵ構造に基づいて、ランダムアクセスの処理プロセスをより明確に説明するために、以下、基地局側と端末側の両面から記載する。
【０１２３】
１）基地局側
ステップ１：基地局は、端末から同じ時間周波数リソースで送信されるランダムアクセス要求Ｍｓｇ１を受信する。同じ時間周波数リソースでは、異なる端末から異なるプリアンブルが送信される可能性がある。
ステップ２：基地局は、同じ時間周波数リソースでＭｓｇ１を送信する端末に対しランダムアクセス応答Ｍｓｇ２を組織する。同じ時間周波数リソースで異なるプリアンブルを送信する端末に対し、複数のランダムアクセス応答、すなわちＭＡＣ  ＲＡＲは、１つのＭＡＣ  ＰＤＵに組織される。同時に、基地局は、ランダムアクセス輻輳制御を指示するＢＩを送信する可能性がある。
ステップ３において、基地局は、Ｍｓｇ２で割り当てられたアップリンクリソースに基づいてＭｓｇ３を受信してランダムアクセスの後の操作を行う。
【０１２４】
２）端末側
ステップ１：端末は、基地局から設定されたランダムアクセスリソースに基づいて、ＰＲＡＣＨとｐｒｅａｍｂｌｅを選択してランダムアクセスを引き起こす。
ステップ２：端末は、１つめのＭＡＣ  ｓｕｂＰＤＵのＭＡＣサブヘッダを解析し、ＢＩ指示を含むことを特定する。
ステップ３：端末は、１つめのＭＡＣ  ｓｕｂＰＤＵ以外のＭＡＣ  ＰＤＵの余剰部分を整数個のＭＡＣ  ｓｕｂＰＤＵに分割し、各々のＭＡＣ  ｓｕｂＰＤＵには、１つのＭＡＣサブヘッダと１つのＭＡＣ  ＲＡＲを含む。端末は、これらのＭＡＣ  ｓｕｂＰＤＵを並行して解析し、当該端末に対するＭＡＣ  ｓｕｂＰＤＵを取得し、すなわち、そのうちの１つのＭＡＣ  ｓｕｂＰＤＵのＭＡＣサブヘッダに含まれるＲＡＰＩＤとして、当該端末からＭｓｇ１を送信する際のランダムアクセスｐｒｅａｍｂｌｅ  ＩＤに一致することを解析すると、ほかのＭＡＣ  ｓｕｂＰＤＵを廃棄する。
ステップ４：端末は、受信したＭＡＣ  ＲＡＲに基づいて、Ｍｓｇ３送信および後の操作を行う。
【０１２５】
さらに、サブステップ２０２−６の後に、ステップ２０２−４を実行するが、具体的にステップ２０２−４部分の記載を参照し、ここでは繰り返して記載しない。
【０１２６】
別の選択可能な実現方式として、サブステップ２０２−１の後に、サブステップ２０２−７〜２０２−１０をさらに含む。
【０１２７】
サブステップ２０２−７において、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析する。
【０１２８】
サブステップ２０２−８において、Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析する。
【０１２９】
サブステップ２０２−９において、３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得する。
【０１３０】
サブステップ２０２−１０において、各々のＭＡＣ  ｓｕｂＰＤＵを並行して解析する。
【０１３１】
さらに、サブステップ２０２−１０の後に、ステップ２０２−４を実行するが、具体的にステップ２０２−４部分の記載を参照し、ここでは繰り返して記載しない。
【０１３２】
なお、上記ステップ２０２−７〜２０２−１０に対応するランダムアクセス応答ＭＡＣ  ＰＤＵには、ＢＩを含むＭＡＣ  ｓｕｂＰＤＵと、ＭＡＣ  ＲＡＲを含むＭＡＣ  ｓｕｂＰＤＵと、Ｍｓｇ１  ｂａｓｅｄ  ＳＩ  ｒｅｑｕｅｓｔに対し応答するＭＡＣ  ｓｕｂＰＤＵを含み、かつ、Ｍｓｇ１  ｂａｓｅｄ  ＳＩ  ｒｅｑｕｅｓｔに対し応答するＭＡＣ  ｓｕｂＰＤＵがほかのＭＡＣ  ｓｕｂＰＤＵの前に配列されている。そのＭＡＣ  ＰＤＵ構造および端末の解析処理手順は、図１４に示されている。
【０１３３】
図１４に示すＭＡＣ  ＰＤＵ構造に基づいて、ランダムアクセスの処理プロセスをより明確に説明するために、以下、基地局側と端末側の両面から記載する。
【０１３４】
１）基地局側
ステップ１：基地局は、端末から同じ時間周波数リソースで送信されるランダムアクセス要求Ｍｓｇ１を受信する。同じ時間周波数リソースでは、異なる端末から異なるプリアンブルが送信される可能性がある。
ステップ２：基地局は、同じ時間周波数リソースでＭｓｇ１を送信する端末に対しランダムアクセス応答Ｍｓｇ２を組織する。同じ時間周波数リソースで異なるプリアンブルを送信する端末に対し、複数のランダムアクセス応答、すなわちＭＡＣ  ＲＡＲは、１つのＭＡＣ  ＰＤＵに組織される。同時に、基地局は、ランダムアクセス輻輳制御を指示するＢＩを送信する可能性がある。基地局からＭｓｇ１  ｂａｓｅｄ  ＳＩ  ｒｅｑｕｅｓｔにリザーブしたｐｒｅａｍｂｌｅを受信すると、Ｍｓｇ１  ｂａｓｅｄ  ＳＩ  ｒｅｑｕｅｓｔに応答する。
ステップ３において、基地局は、Ｍｓｇ２で割り当てられたアップリンクリソースに基づいてＭｓｇ３を受信してランダムアクセスの後の操作を行う。
【０１３５】
２）端末側
ブランチ１：Ｍｓｇ１  ｂａｓｅｄ  ＳＩ  ｒｅｑｕｅｓｔのランダムアクセスプロセスがほかのランダムアクセスプロセスとは並行に行うことができるのであれば、具体的なステップは、以下である。
ステップ１：端末は、基地局から設定されたランダムアクセスリソースに基づいて、ＰＲＡＣＨとｐｒｅａｍｂｌｅを選択してランダムアクセスを引き起こす。端末からＭｓｇ１  ｂａｓｅｄ  ＳＩ  ｒｅｑｕｅｓｔプロセスを引き起こすのであれば、基地局から当該システムインフォメーション要求にリザーブしたｐｒｅａｍｂｌｅおよび／またはＰＲＡＣＨリソースを使用する。
ステップ２：端末は、１つめのＭＡＣ  ｓｕｂＰＤＵのＭＡＣサブヘッダを解析し、ＢＩを含むことを特定する。
ステップ３：端末は、２つめのＭＡＣ  ｓｕｂＰＤＵのＭＡＣサブヘッダを解析し、Ｍｓｇ１  ｂａｓｅｄ  ＳＩ  ｒｅｑｕｅｓｔに対する応答を含むことを特定する。
端末からＭｓｇ１  ｂａｓｅｄ  ＳＩ  ｒｅｑｕｅｓｔのランダムアクセス要求のみを送信したのであれば、応答を受信すると、ランダムアクセスプロセスが終了する。端末からほかのランダムアクセス要求も送信した場合、ステップ４に進む。
ステップ４：端末は、後のＭＡＣ  ｓｕｂＰＤＵのＭＡＣサブヘッダを解析し、ＭＡＣ  ＲＡＲを含むことを特定する。
ステップ５：端末は、余剰のＭＡＣ  ＰＤＵを整数個のＭＡＣ  ｓｕｂＰＤＵに分割し、各々のＭＡＣ  ｓｕｂＰＤＵには、１つのＭＡＣサブヘッダと１つのＭＡＣ  ＲＡＲを含む。端末は、これらのＭＡＣ  ｓｕｂＰＤＵを並行して解析し、当該端末に対するＭＡＣ  ｓｕｂＰＤＵを取得し、すなわち、そのうちの１つのＭＡＣ  ｓｕｂＰＤＵのＭＡＣサブヘッダに含まれるＲＡＰＩＤとして、当該端末からＭｓｇ１を送信する際のランダムアクセスｐｒｅａｍｂｌｅ  ＩＤに一致することを解析すると、ほかのＭＡＣ  ｓｕｂＰＤＵを廃棄する。
ステップ６：端末は、受信したＭＡＣ  ＲＡＲに基づいて、Ｍｓｇ３送信および後の操作を行う。
【０１３６】
ブランチ２：Ｍｓｇ１  ｂａｓｅｄ  ＳＩ  ｒｅｑｕｅｓｔのランダムアクセスプロセスがほかのランダムアクセスプロセスとは並行に行うことができないのであれば、具体的なステップは、以下である。
ステップ１：端末は、基地局から設定されたランダムアクセスリソースに基づいて、ＰＲＡＣＨとｐｒｅａｍｂｌｅを選択してランダムアクセスを引き起こす。端末からＭｓｇ１  ｂａｓｅｄ  ＳＩ  ｒｅｑｕｅｓｔプロセスを引き起こすのであれば、基地局から当該システムインフォメーション要求にリザーブしたｐｒｅａｍｂｌｅおよび／またはＰＲＡＣＨリソースを使用する。
ステップ２：端末は、１つめのＭＡＣ  ｓｕｂＰＤＵのＭＡＣサブヘッダを解析し、ＢＩを含むことを特定する。
ステップ３：端末は、２つめのＭＡＣ  ｓｕｂＰＤＵのＭＡＣサブヘッダを解析し、Ｍｓｇ１  ｂａｓｅｄ  ＳＩ  ｒｅｑｕｅｓｔに対する応答を含むことを特定する。
ここで、端末からＭｓｇ１  ｂａｓｅｄ  ＳＩ  ｒｅｑｕｅｓｔのランダムアクセス要求を送信したのであれば、応答を受信すると、ランダムアクセスプロセスが終了する。端末からほかの目的のランダムアクセスプロセスも送信した場合、ステップ４に進む。
ステップ４：端末は、後のＭＡＣ  ｓｕｂＰＤＵのＭＡＣサブヘッダを解析し、ＭＡＣ  ＲＡＲを含むことを特定する。
ステップ５：端末は、余剰のＭＡＣ  ＰＤＵを整数個のＭＡＣ  ｓｕｂＰＤＵに分割し、各々のＭＡＣ  ｓｕｂＰＤＵには、１つのＭＡＣサブヘッダと１つのＭＡＣ  ＲＡＲを含む。端末は、これらのＭＡＣ  ｓｕｂＰＤＵを並行して解析し、当該端末に対するＭＡＣ  ｓｕｂＰＤＵを取得し、すなわち、そのうちの１つのＭＡＣ  ｓｕｂＰＤＵのＭＡＣサブヘッダに含まれるＲＡＰＩＤとして、当該端末からＭｓｇ１を送信する際のランダムアクセスｐｒｅａｍｂｌｅ  ＩＤに一致することを解析すると、ほかのＭＡＣ  ｓｕｂＰＤＵを廃棄する。
ステップ６：端末は、受信したＭＡＣ  ＲＡＲに基づいて、Ｍｓｇ３送信および後の操作を行う。
【０１３７】
別の選択可能な実現方式として、サブステップ２０２−１の後に、サブステップ２０２−１１をさらに含む。
【０１３８】
サブステップ２０２−１１において、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得する。
【０１３９】
さらに、サブステップ２０２−１１の後に、サブステップ２０２−１２をさらに含む。
【０１４０】
サブステップ２０２−１２において、ＭＡＣ  ＲＡＲを含む各々のＭＡＣ  ｓｕｂＰＤＵをそれぞれ並行して解析し、含まれる可能性があれば、Ｍｓｇ１に基づくシステムインフォメーション要求に対し応答を行うＭＡＣ  ｓｕｂＰＤＵを解析する。
【０１４１】
ここで、サブステップ２０２−１２の後に、サブステップ２０２−１３〜２０２−１５をさらに含む。
【０１４２】
サブステップ２０２−１３において、Ｍｓｇ１に基づくシステムインフォメーション要求ともう一つのランダムアクセス要求が端末から送信される場合、ＭＡＣ  ＲＡＲを含むＭＡＣ  ｓｕｂＰＤＵから、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを、端末によって解析すると、ほかのＭＡＣ  ＲＡＲを含むＭＡＣ  ｓｕｂＰＤＵを廃棄する。
【０１４３】
サブステップ２０２−１４において、Ｍｓｇ１に基づくシステムインフォメーション要求のみが端末から送信された場合、端末がＭＡＣ  ＲＡＲを含むＭＡＣ  ｓｕｂＰＤＵをすべて廃棄し、余剰部分のみを解析し、Ｍｓｇ１に基づくシステムインフォメーション要求に対する応答を取得する。
【０１４４】
サブステップ２０２−１５において、Ｍｓｇ１に基づくシステムインフォメーション要求以外のランダムアクセス要求のみが端末から送信された場合、端末がＭｓｇ１に基づくシステムインフォメーション要求に対し応答を行うＭＡＣ  ｓｕｂＰＤＵを含む可能性のある余剰部分を廃棄し、ＭＡＣ  ＲＡＲを含むＭＡＣ  ｓｕｂＰＤＵを並行して解析し、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを解析すると、ほかのＭＡＣ  ｓｕｂＰＤＵをすべて廃棄する。
【０１４５】
なお、上記ステップ２０２−１２〜２０２−１５に対応するランダムアクセス応答ＭＡＣ  ＰＤＵには、ＢＩを含むＭＡＣ  ｓｕｂＰＤＵと、ＭＡＣ  ＲＡＲを含むＭＡＣ  ｓｕｂＰＤＵと、Ｍｓｇ１  ｂａｓｅｄ  ＳＩ  ｒｅｑｕｅｓｔに対し応答するＭＡＣ  ｓｕｂＰＤＵを含み、かつ、Ｍｓｇ１  ｂａｓｅｄ  ＳＩ  ｒｅｑｕｅｓｔに対し応答するＭＡＣ  ｓｕｂＰＤＵがほかのＭＡＣ  ｓｕｂＰＤＵの後ろに配列されている。そのＭＡＣ  ＰＤＵ構造および端末の解析処理手順は、図１５に示されている。
【０１４６】
図１５に示すＭＡＣ  ＰＤＵ構造に基づいて、ランダムアクセスの処理プロセスをより明確に説明するために、以下、基地局側と端末側の両面から記載する。
【０１４７】
１）基地局側
ステップ１：基地局は、端末から同じ時間周波数リソースで送信されるランダムアクセス要求Ｍｓｇ１を受信する。同じ時間周波数リソースでは、異なる端末から異なるプリアンブルが送信される可能性がある。
ステップ２：基地局は、同じ時間周波数リソースでＭｓｇ１を送信する端末に対しランダムアクセス応答Ｍｓｇ２を組織する。同じ時間周波数リソースで異なるプリアンブルを送信する端末に対し、複数のランダムアクセス応答、すなわちＭＡＣ  ＲＡＲは、１つのＭＡＣ  ＰＤＵに組織される。同時に、基地局は、ランダムアクセス輻輳制御を指示するＢＩを送信する可能性がある。基地局からＭｓｇ１  ｂａｓｅｄ  ＳＩ  ｒｅｑｕｅｓｔにリザーブしたｐｒｅａｍｂｌｅを受信すると、Ｍｓｇ１  ｂａｓｅｄ  ＳＩ  ｒｅｑｕｅｓｔに応答する。
ステップ３において、基地局は、Ｍｓｇ２で割り当てられたアップリンクリソースに基づいてＭｓｇ３を受信してランダムアクセスの後の操作を行う。
【０１４８】
２）端末側
ブランチ１：Ｍｓｇ１  ｂａｓｅｄ  ＳＩ  ｒｅｑｕｅｓｔのランダムアクセスプロセスがほかのランダムアクセスプロセスとは並行に行うことができるのであれば、具体的なステップは、以下である。
ステップ１：端末は、基地局から設定されたランダムアクセスリソースに基づいて、ＰＲＡＣＨとｐｒｅａｍｂｌｅを選択してランダムアクセスを引き起こす。端末からＭｓｇ１  ｂａｓｅｄ  ＳＩ  ｒｅｑｕｅｓｔプロセスを引き起こすのであれば、基地局から当該システムインフォメーション要求にリザーブしたｐｒｅａｍｂｌｅおよび／またはＰＲＡＣＨリソースを使用する。
ステップ２：端末は、１つめのＭＡＣ  ｓｕｂＰＤＵのＭＡＣサブヘッダを解析し、ＢＩを含むことを特定する。
ステップ３：端末は、余剰のＭＡＣ  ＰＤＵを整数個のＭＡＣ  ＲＡＲを含むＭＡＣ  ｓｕｂＰＤＵに分割し、これらのＭＡＣ  ｓｕｂＰＤＵを並行して解析し、当該端末に対するＭＡＣ  ｓｕｂＰＤＵを取得し、すなわち、そのうちの１つのＭＡＣ  ｓｕｂＰＤＵのＭＡＣサブヘッダに含まれるＲＡＰＩＤとして、当該端末からＭｓｇ１を送信する際のランダムアクセスｐｒｅａｍｂｌｅ  ＩＤに一致することを解析すると、ほかのＭＡＣ  ＲＡＲを含むＭＡＣ  ｓｕｂＰＤＵを廃棄する。同時に、端末からＭｓｇ１  ｂａｓｅｄ  ＳＩ  ｒｅｑｕｅｓｔを送信した場合、分割後の余剰部分を並行解析し、Ｍｓｇ１  ｂａｓｅｄ  ＳＩ  ｒｅｑｕｅｓｔに対する応答を取得する。当該分割後の余剰部分は、そのサイズがＭＡＣ  ＲＡＲを含む１つのＭＡＣ  ｓｕｂＰＤＵのサイズより小さい。
ステップ４：端末は、受信したＭＡＣ  ＲＡＲに基づいて、Ｍｓｇ３送信および後の操作を行う。
【０１４９】
ブランチ２：Ｍｓｇ１  ｂａｓｅｄ  ＳＩ  ｒｅｑｕｅｓｔのランダムアクセスプロセスがほかのランダムアクセスプロセスとは並行に行うことができないのであれば、具体的なステップは、以下である。
ステップ１：端末は、基地局から設定されたランダムアクセスリソースに基づいて、ＰＲＡＣＨとｐｒｅａｍｂｌｅを選択してランダムアクセスを引き起こす。端末からＭｓｇ１  ｂａｓｅｄ  ＳＩ  ｒｅｑｕｅｓｔプロセスを引き起こすのであれば、基地局から当該システムインフォメーション要求にリザーブしたｐｒｅａｍｂｌｅおよび／またはＰＲＡＣＨリソースを使用する。
ステップ２：端末は、１つめのＭＡＣ  ｓｕｂＰＤＵのＭＡＣサブヘッダを解析し、ＢＩを含むことを特定する。
ステップ３：端末から送信したランダムアクセス要求がＭｓｇ１  ｂａｓｅｄ  ＳＩ  ｒｅｑｕｅｓｔ以外のほかのランダムアクセス要求であると、端末は、余剰のＭＡＣ  ＰＤＵを整数個のＭＡＣ  ＲＡＲを含むＭＡＣ  ｓｕｂＰＤＵに分割し、これらのＭＡＣ  ｓｕｂＰＤＵを並行して解析し、当該端末に対するＭＡＣ  ｓｕｂＰＤＵを取得し、すなわち、そのうちの１つのＭＡＣ  ｓｕｂＰＤＵのＭＡＣサブヘッダに含まれるＲＡＰＩＤとして、当該端末からＭｓｇ１を送信する際のランダムアクセスｐｒｅａｍｂｌｅ  ＩＤに一致することを解析すると、ほかのＭＡＣ  ＲＡＲを含むＭＡＣ  ｓｕｂＰＤＵを廃棄するとともに、分割後の余剰部分を廃棄する。
端末から送信したランダムアクセス要求がＭｓｇ１  ｂａｓｅｄ  ＳＩ  ｒｅｑｕｅｓｔのランダムアクセス要求であると、端末は、余剰のＭＡＣ  ＰＤＵから整数個のＭＡＣ  ＲＡＲを含むＭＡＣ  ｓｕｂＰＤＵに分割して廃棄し、分割後の余剰部分のみを解析してＭｓｇ１  ｂａｓｅｄ  ＳＩ  ｒｅｑｕｅｓｔに対する応答を取得する。当該分割後の余剰部分は、そのサイズがＭＡＣ  ＲＡＲを含む１つのＭＡＣ  ｓｕｂＰＤＵのサイズより小さい。
ステップ４：端末は、受信したＭＡＣ  ＲＡＲに基づいて、Ｍｓｇ３送信および後の操作を行う。
【０１５０】
本開示の一部実施例のランダムアクセス応答方法において、端末が基地局から送信されるランダムアクセス応答メッセージを受信して当該ランダムアクセス応答メッセージを解析する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。よって、端末ＵＥの各々は、自端末に対し送信されるランダムアクセス要求の応答を迅速に受信した解析することができるため、ランダムアクセス遅延を小さくするとともに、端末の節電を実現する。
【０１５１】
図１６に示すように、本開示の一部の実施例は、ランダムアクセス応答装置をさらに提供する。当該装置は、ランダムアクセス応答メッセージを端末に送信するための送信モジュール３０１を含む。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【０１５２】
本開示の一部実施例におけるランダムアクセス応答装置において、前記ＭＡＣ  ｓｕｂＰＤＵは、第１ＭＡＣサブヘッダのみを含む第１ＭＡＣ  ｓｕｂＰＤＵを含む。
【０１５３】
選択可能に、本開示の一部実施例におけるランダムアクセス応答装置において、前記第１ＭＡＣサブヘッダは、ＢＩを含むサブヘッダである。
【０１５４】
具体的に、前記ランダムアクセス応答メッセージには、前記第１ＭＡＣ  ｓｕｂＰＤＵがほかのＭＡＣ  ｓｕｂＰＤＵの前に排列されている。
【０１５５】
選択可能に、本開示の一部実施例におけるランダムアクセス応答装置において、前記第１ＭＡＣサブヘッダは、Ｍｓｇ１に基づくシステムインフォメーション要求に対し応答を行うＭＡＣサブヘッダである。
【０１５６】
具体的に、前記第１ＭＡＣ  ｓｕｂＰＤＵは、前記ランダムアクセス応答メッセージのＭＡＣ  ＰＤＵの所定位置に位置する。
【０１５７】
具体的に、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【０１５８】
本開示の一部実施例のランダムアクセス応答装置において、基地局によってランダムアクセス応答メッセージを端末に送信する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。よって、基地局ｇＮＢは、複数の端末、多種類のリクエストからのランダムアクセス要求に迅速に応答することができる。
【０１５９】
なお、当該装置は、上記方法実施例に対応する装置であり、上記方法実施例におけるすべての実現方式が当該装置の実施例に応用可能であり、同一の技術効果を奏することもできる。
【０１６０】
図１７に示すように、本開示の一部実施例は、メモリ４２０と、プロセッサ４００と、トランシーバ４１０と、バスインタフェースと、メモリ４２０に記憶されてプロセッサ４００で実行可能なコンピュータプログラムを含む基地局をさらに提供する。前記プロセッサ４００がメモリ４２０からプログラムを読み取ることによって、ランダムアクセス応答メッセージを端末に送信するプロセスを実行する。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【０１６１】
ここで、図１７において、バスアーキテクチャは、任意数の相互接続するバスとブリッジを含み、具体的に、プロセッサ４００をはじめとする１つ又は複数のプロセッサとメモリ４２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ４１０は、複数の部品であってもよく、即ち送信機と受信機を含み、伝送媒体でほかの各種類の装置と通信するユニットとして提供される。プロセッサ４００は、バスアーキテクチャと通常の処理を管理する。メモリ４２０は、プロセッサ４００による操作実行に使用されるデータを記憶できる。
【０１６２】
選択可能に、前記ＭＡＣ  ｓｕｂＰＤＵは、第１ＭＡＣサブヘッダのみを含む第１ＭＡＣ  ｓｕｂＰＤＵを含む。
【０１６３】
選択可能に、前記第１ＭＡＣサブヘッダは、ＢＩを含むサブヘッダである。
【０１６４】
選択可能に、前記ランダムアクセス応答メッセージには、前記第１ＭＡＣ  ｓｕｂＰＤＵがほかのＭＡＣ  ｓｕｂＰＤＵの前に排列されている。
【０１６５】
選択可能に、前記第１ＭＡＣサブヘッダは、Ｍｓｇ１に基づくシステムインフォメーション要求に対し応答を行うＭＡＣサブヘッダである。
【０１６６】
選択可能に、前記第１ＭＡＣ  ｓｕｂＰＤＵは、前記ランダムアクセス応答メッセージのＭＡＣ  ＰＤＵの所定位置に位置する。
【０１６７】
選択可能に、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【０１６８】
当該プログラムは、プロセッサによって実行されると、上記方法実施例におけるすべての実現方式を実現可能であり、重複を避けるために、ここでは繰り返して記載しない。
【０１６９】
図１８に示すように、本開示の一部の実施例は、ランダムアクセス応答装置をさらに提供する。当該装置は、基地局から送信されるランダムアクセス応答メッセージを受信するための受信モジュール５０１を含む。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【０１７０】
本開示の一部実施例におけるランダムアクセス応答装置において、前記ＭＡＣ  ｓｕｂＰＤＵは、第１ＭＡＣサブヘッダのみを含む第１ＭＡＣ  ｓｕｂＰＤＵを含む。
【０１７１】
選択可能に、本開示の一部実施例におけるランダムアクセス応答装置において、前記第１ＭＡＣサブヘッダは、ＢＩを含むサブヘッダである。
【０１７２】
具体的に、本開示の一部実施例におけるランダムアクセス応答装置において、前記ランダムアクセス応答メッセージには、前記第１ＭＡＣ  ｓｕｂＰＤＵがほかのＭＡＣ  ｓｕｂＰＤＵの前に排列されている。
【０１７３】
選択可能に、前記第１ＭＡＣサブヘッダは、Ｍｓｇ１に基づくシステムインフォメーション要求に対し応答を行うＭＡＣサブヘッダである。
【０１７４】
具体的に、本開示の一部実施例におけるランダムアクセス応答装置において、前記第１ＭＡＣ  ｓｕｂＰＤＵは、前記ランダムアクセス応答メッセージのＭＡＣ  ＰＤＵの所定位置に位置する。
【０１７５】
具体的に、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【０１７６】
本開示の一部実施例におけるランダムアクセス応答装置において、基地局から送信されるランダムアクセス応答メッセージを受信した後に、前記ランダムアクセス応答メッセージを解析するための解析モジュール５０２をさらに含む。
【０１７７】
本開示の一部実施例におけるランダムアクセス応答装置において、前記解析モジュール５０２は、前記ランダムアクセス応答メッセージの１つめのＭＡＣ  ｓｕｂＰＤＵを解析するための第１解析サブモジュール５０２−１と、１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するための第１分割サブモジュール５０２−２と、各々のＭＡＣ  ｓｕｂＰＤＵを並行して解析するための第１並行解析サブモジュール５０２−３とを含む。
【０１７８】
本開示の一部実施例におけるランダムアクセス応答装置において、前記解析モジュール５０２は、前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するための第２分割サブモジュール５０２−４と、各々のＭＡＣ  ｓｕｂＰＤＵを並行して解析するための第２並行解析サブモジュール５０２−５とをさらに含む。
【０１７９】
本開示の一部実施例におけるランダムアクセス応答装置において、前記解析モジュール５０２は、前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するための第２解析サブモジュール５０２−６と、Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するための第３解析サブモジュール５０２−７と、３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するための第３分割サブモジュール５０２−８と、各々のＭＡＣ  ｓｕｂＰＤＵを並行して解析するための第３並行解析サブモジュール５０２９とをさらに含む。
【０１８０】
本開示の一部実施例におけるランダムアクセス応答装置において、前記解析モジュール５０２は、各々のＭＡＣ  ｓｕｂＰＤＵを並行して解析した後に、そのうち１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するための第１処理サブモジュール５０２−１０をさらに含む。
【０１８１】
本開示の一部実施例におけるランダムアクセス応答装置において、前記解析モジュール５０２は、前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するための第４分割サブモジュール５０２−１１をさらに含む。
【０１８２】
本開示の一部実施例におけるランダムアクセス応答装置において、前記解析モジュール５０２は、ＭＡＣ  ＲＡＲを含む各々のＭＡＣ  ｓｕｂＰＤＵをそれぞれ並行して解析し、含まれる可能性があれば、Ｍｓｇ１に基づくシステムインフォメーション要求に対し応答を行うＭＡＣ  ｓｕｂＰＤＵを解析するための第４解析サブモジュール５０２−１２をさらに含む。
【０１８３】
本開示の一部実施例におけるランダムアクセス応答装置において、前記解析モジュール５０２は、Ｍｓｇ１に基づくシステムインフォメーション要求ともう１つのランダムアクセス要求の両方が端末から送信された場合、ＭＡＣ  ＲＡＲを含むＭＡＣ  ｓｕｂＰＤＵから、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを、端末によって解析すると、ほかのＭＡＣ  ＲＡＲを含むＭＡＣ  ｓｕｂＰＤＵを廃棄するための第２処理サブモジュール５０２−１３と、Ｍｓｇ１に基づくシステムインフォメーション要求のみが端末から送信された場合、端末がＭＡＣ  ＲＡＲを含むＭＡＣ  ｓｕｂＰＤＵをすべて廃棄し、余剰部分のみを解析し、Ｍｓｇ１に基づくシステムインフォメーション要求に対する応答を取得するための第３処理サブモジュール５０２−１４と、Ｍｓｇ１に基づくシステムインフォメーション要求以外のランダムアクセス要求のみが端末から送信された場合、端末がＭｓｇ１に基づくシステムインフォメーション要求に対し応答を行うＭＡＣ  ｓｕｂＰＤＵを含む可能性のある余剰部分を廃棄し、ＭＡＣ  ＲＡＲを含むＭＡＣ  ｓｕｂＰＤＵを並行して解析し、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを解析すると、ほかのＭＡＣ  ｓｕｂＰＤＵをすべて廃棄するための第４処理サブモジュール５０２−１５とをさらに含む。
【０１８４】
本開示の一部実施例のランダムアクセス応答装置において、端末が基地局から送信されるランダムアクセス応答メッセージを受信して当該ランダムアクセス応答メッセージを解析する。ここで、ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。よって、単一の端末ＵＥは、自端末に対し送信されるランダムアクセス要求の応答を迅速に受信して解析することができるため、ランダムアクセス遅延を小さくするとともに、端末の節電を実現する。
【０１８５】
なお、当該ランダムアクセス応答装置は、上記ランダムアクセス応答方法に対応する装置であり、上記方法実施例におけるすべての実現方式が当該装置の実施例に応用可能であり、同一の技術効果を奏することもできる。
【０１８６】
本開示の一部の実施例において、図１９に示すように、メモリ６２０と、プロセッサ６００と、トランシーバ６１０と、ユーザインタフェース６３０と、バスインタフェースと、メモリ６２０に記憶されてプロセッサ６００で実行可能なコンピュータプログラムを含む端末をさらに提供する。前記プロセッサ６００がメモリ６２０からプログラムを読み取ることによって、基地局から送信されるランダムアクセス応答メッセージを受信するプロセスを実行する。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【０１８７】
ここで、図１９において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１０は、複数の部品であってもよく、即ち送信機と受信機を含み、伝送媒体でほかの各種類の装置と通信するユニットとして提供される。ユーザ端末によっては、ユーザインタフェース６３０は、内部接続や外部接続する機器のインタフェースであってもよい。接続する機器は、キーパッド、ディスプレイ、スピーカ、マイクロフォン、ジョイスティックなどを含むが、それらに限られない。
【０１８８】
プロセッサ６００は、バスアーキテクチャと通常の処理を管理する。メモリ６２０は、プロセッサ６００による操作実行に使用されるデータを記憶できる。
【０１８９】
選択可能に、前記ＭＡＣ  ｓｕｂＰＤＵは、第１ＭＡＣサブヘッダのみを含む第１ＭＡＣ  ｓｕｂＰＤＵを含む。
【０１９０】
選択可能に、前記第１ＭＡＣサブヘッダは、ＢＩを含むサブヘッダである。
【０１９１】
選択可能に、前記ランダムアクセス応答メッセージには、前記第１ＭＡＣ  ｓｕｂＰＤＵがほかのＭＡＣ  ｓｕｂＰＤＵの前に排列されている。
【０１９２】
選択可能に、前記第１ＭＡＣサブヘッダは、Ｍｓｇ１に基づくシステムインフォメーション要求に対し応答を行うＭＡＣサブヘッダである。
【０１９３】
選択可能に、前記第１ＭＡＣ  ｓｕｂＰＤＵは、前記ランダムアクセス応答メッセージのＭＡＣ  ＰＤＵの所定位置に位置する。
【０１９４】
選択可能に、前記所定位置は、全体的に、ＭＡＣサブヘッダとそれに対応するＭＡＣ  ＲＡＲとを含む第２ＭＡＣ  ｓｕｂＰＤＵより前の位置であり、または、全体的に第２ＭＡＣ  ｓｕｂＰＤＵより後ろの位置である。
【０１９５】
プロセッサ６００は、さらに、メモリ６２０からプログラムを読み取ることによって、前記ランダムアクセス応答メッセージを解析するステップを実行する。
【０１９６】
プロセッサ６００は、さらに、メモリ６２０からプログラムを読み取ることによって、前記ランダムアクセス応答メッセージの１つめのＭＡＣ  ｓｕｂＰＤＵを解析するステップと、１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するステップと、各々のＭＡＣ  ｓｕｂＰＤＵを並行して解析するステップとを実行する。
【０１９７】
プロセッサ６００は、さらに、メモリ６２０からプログラムを読み取ることによって、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するステップと、各々のＭＡＣ  ｓｕｂＰＤＵを並行して解析するステップとを実行する。
【０１９８】
プロセッサ６００は、さらに、メモリ６２０からプログラムを読み取ることによって、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するステップと、Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するステップと、３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するステップと、各々のＭＡＣ  ｓｕｂＰＤＵを並行して解析するステップとを実行する。
【０１９９】
プロセッサ６００は、さらに、メモリ６２０からプログラムを読み取ることによって、そのうちの１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するステップを実行する。
【０２００】
プロセッサ６００は、さらに、メモリ６２０からプログラムを読み取ることによって、前記の前記ランダムアクセス応答メッセージの１つめのＭＡＣ  ｓｕｂＰＤＵを解析するステップの後に、前記方法において、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するステップを実行する。
【０２０１】
プロセッサ６００は、さらに、メモリ６２０からプログラムを読み取ることによって、前記のＭＡＣ  ＲＡＲを含む各々のＭＡＣ  ｓｕｂＰＤＵを取得するステップの後に、前記方法において、ＭＡＣ  ＲＡＲを含む各々のＭＡＣ  ｓｕｂＰＤＵをそれぞれ並行して解析し、含まれる可能性があれば、Ｍｓｇ１に基づくシステムインフォメーション要求に対し応答を行うＭＡＣ  ｓｕｂＰＤＵを解析するステップを実行する。
【０２０２】
プロセッサ６００は、さらに、メモリ６２０からプログラムを読み取ることによって、Ｍｓｇ１に基づくシステムインフォメーション要求ともう１つのランダムアクセス要求の両方が端末から送信された場合、ＭＡＣ  ＲＡＲを含むＭＡＣ  ｓｕｂＰＤＵから、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを、端末によって解析すると、ほかのＭＡＣ  ＲＡＲを含むＭＡＣ  ｓｕｂＰＤＵを廃棄するステップと、Ｍｓｇ１に基づくシステムインフォメーション要求のみが端末から送信された場合、端末がＭＡＣ  ＲＡＲを含むＭＡＣ  ｓｕｂＰＤＵをすべて廃棄し、余剰部分のみを解析し、Ｍｓｇ１に基づくシステムインフォメーション要求に対する応答を取得するステップと、Ｍｓｇ１に基づくシステムインフォメーション要求以外のランダムアクセス要求のみが端末から送信された場合、端末がＭｓｇ１に基づくシステムインフォメーション要求に対し応答を行うＭＡＣ  ｓｕｂＰＤＵを含む可能性のある余剰部分を廃棄し、ＭＡＣ  ＲＡＲを含むＭＡＣ  ｓｕｂＰＤＵを並行して解析し、そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致することを解析すると、ほかのＭＡＣ  ｓｕｂＰＤＵをすべて廃棄するステップとを実行する。
【０２０３】
本開示の一部の実施例は、コンピュータプログラムが記憶されているコンピュータ読み取り可能な記憶媒体をさらに提供する。当該コンピュータプログラムがプロセッサによって実行されると、基地局から送信されるランダムアクセス応答メッセージを受信するステップが実現される。ここで、前記ランダムアクセス応答メッセージのＭＡＣ  ＰＤＵは、少なくとも１つのＭＡＣ  ｓｕｂＰＤＵを含む。前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含む。前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する。
【０２０４】
当該プログラムは、プロセッサによって実行されると、上記方法実施例におけるすべての実現方式を実現可能であり、重複を避けるために、ここでは繰り返して記載しない。
【０２０５】
本開示の各種類の実施例において、コンピュータ読み取り可能な記憶媒体は、揮発性の記憶媒体または非揮発性の記憶媒体である。なお、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０２０６】
本明細書に開示された実施例に記載の各例のモジュール、サブモジュール、ユニットおよびアルゴリズムのステップが、電子ハードウェア、またはコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０２０７】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０２０８】
以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2020529807.tif 000003
【図２】
2020529807.tif 000004
【図３】
2020529807.tif 000005
【図４】
2020529807.tif 000006
【図５】
2020529807.tif 000007
【図６】
2020529807.tif 000008
【図７】
2020529807.tif 000009
【図８】
2020529807.tif 000010
【図９】
2020529807.tif 000011
【図１０】
2020529807.tif 000012
【図１１】
2020529807.tif 000013
【図１２】
2020529807.tif 000014
【図１３】
2020529807.tif 000015
【図１４】
2020529807.tif 000016
【図１５】
2020529807.tif 000017
【図１６】
2020529807.tif 000018
【図１７】
2020529807.tif 000019
【図１８】
2020529807.tif 000020
【図１９】
2020529807.tif 000021
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
基地局に応用されるランダムアクセス応答方法において、
ランダムアクセス応答メッセージを端末に送信するステップを含み、
ここで、前記ランダムアクセス応答メッセージのＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔａ  Ｕｎｉｔ）は、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲ（Ｍｅｄｉａ  Ａｃｃｅｓｓ  Ｃｏｎｔｒｏｌ  Ｒａｎｄｏｍ  Ａｃｃｅｓｓ  Ｒｅｓｐｏｎｓｅ）を含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答方法。
【請求項２】
前記ＭＡＣ  ｓｕｂＰＤＵは、第１ＭＡＣサブヘッダのみを含む第１ＭＡＣ  ｓｕｂＰＤＵを含む、請求項１に記載のランダムアクセス応答方法。
【請求項３】
前記第１ＭＡＣサブヘッダは、ＢＩ（Ｂａｃｋ  ｏｆｆ  Ｉｎｄｉｃａｔｏｒ）を含むサブヘッダであり、あるいは、
前記第１ＭＡＣサブヘッダは、Ｍｓｇ１に基づくシステムインフォメーション要求に対し応答を行うＭＡＣサブヘッダである、請求項２に記載のランダムアクセス応答方法。
【請求項４】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項３に記載のランダムアクセス応答方法。
【請求項５】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項３に記載のランダムアクセス応答方法。
【請求項６】
端末に応用されるランダムアクセス応答方法において、
基地局から送信されるランダムアクセス応答メッセージを受信するステップを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答方法。
【請求項７】
前記ＭＡＣ  ｓｕｂＰＤＵは、第１ＭＡＣサブヘッダのみを含む第１ＭＡＣ  ｓｕｂＰＤＵを含む、請求項６に記載のランダムアクセス応答方法。
【請求項８】
前記第１ＭＡＣサブヘッダは、ＢＩを含むサブヘッダであり、あるいは、
前記第１ＭＡＣサブヘッダは、Ｍｓｇ１に基づくシステムインフォメーション要求に対し応答を行うＭＡＣサブヘッダである、請求項７に記載のランダムアクセス応答方法。
【請求項９】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項８に記載のランダムアクセス応答方法。
【請求項１０】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項８に記載のランダムアクセス応答方法。
【請求項１１】
基地局から送信されるランダムアクセス応答メッセージを受信するステップの後に、
前記ランダムアクセス応答メッセージを解析するステップをさらに含む、請求項７〜１０のいずれか一項に記載のランダムアクセス応答方法。
【請求項１２】
前記ランダムアクセス応答メッセージを解析するステップは、
前記ランダムアクセス応答メッセージの１つめのＭＡＣ  ｓｕｂＰＤＵを解析するステップと、
１つめのＭＡＣ  ｓｕｂＰＤＵのＭＡＣサブヘッダにＲＡＰＩＤ（Ｒａｎｄｏｍ  Ａｃｃｅｓｓ  Ｐｒｅａｍｂｌｅ  ＩＤ）が含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとを含む、請求項１１に記載のランダムアクセス応答方法。
【請求項１３】
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとをさらに含み、あるいは、
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するステップと、
Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するステップと、
３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するステップと、
各々のＭＡＣ  ｓｕｂＰＤＵを並行して解析するステップとをさらに含み、あるいは、
前記の各々のＭＡＣ  ｓｕｂＰＤＵを並行して解析するステップの後に、
そのうちの１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するステップをさらに含み、あるいは、
前記の前記ランダムアクセス応答メッセージの１つめのＭＡＣ  ｓｕｂＰＤＵを解析するステップの後に、
１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するステップをさらに含む、請求項１２に記載のランダムアクセス応答方法。
【請求項１４】
基地局に応用されるランダムアクセス応答装置において、
ランダムアクセス応答メッセージを端末に送信するための送信モジュールを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答装置。
【請求項１５】
前記ＭＡＣ  ｓｕｂＰＤＵは、第１ＭＡＣサブヘッダのみを含む第１ＭＡＣ  ｓｕｂＰＤＵを含む、請求項１４に記載のランダムアクセス応答装置。
【請求項１６】
前記第１ＭＡＣサブヘッダは、ＢＩを含むサブヘッダであり、
前記第１ＭＡＣサブヘッダは、Ｍｓｇ１に基づくシステムインフォメーション要求に対し応答を行うＭＡＣサブヘッダである、請求項１５に記載のランダムアクセス応答装置。
【請求項１７】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項１６に記載のランダムアクセス応答装置。
【請求項１８】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項１６に記載のランダムアクセス応答装置。
【請求項１９】
端末に応用されるランダムアクセス応答装置において、
基地局から送信されるランダムアクセス応答メッセージを受信するための受信モジュールを含み、
ここで、前記ランダムアクセス応答メッセージのＭＡＣ  ＰＤＵは、少なくとも１つのＭＡＣ  ｓｕｂＰＤＵを含み、
前記ＭＡＣ  ｓｕｂＰＤＵのそれぞれは、１つのＭＡＣサブヘッダと、可能性があれば当該ＭＡＣサブヘッダに対応するＭＡＣ  ＲＡＲを含み、
前記ＭＡＣ  ｓｕｂＰＤＵが少なくとも２つである場合、少なくとも２つの前記ＭＡＣ  ｓｕｂＰＤＵは、ＭＡＣ  ＰＤＵで順に排列する、ランダムアクセス応答装置。
【請求項２０】
前記ＭＡＣ  ｓｕｂＰＤＵは、第１ＭＡＣサブヘッダのみを含む第１ＭＡＣ  ｓｕｂＰＤＵを含む、請求項１９に記載のランダムアクセス応答装置。
【請求項２１】
前記第１ＭＡＣサブヘッダは、ＢＩを含むサブヘッダであり、あるいは、
前記第１ＭＡＣサブヘッダは、Ｍｓｇ１に基づくシステムインフォメーション要求に対し応答を行うＭＡＣサブヘッダである、請求項２０に記載のランダムアクセス応答装置。
【請求項２２】
前記第１ＭＡＣサブヘッダは、ＢＩを含むサブヘッダである場合、
前記ランダムアクセス応答メッセージには、前記第１ＭＡＣ  ｓｕｂＰＤＵがほかのＭＡＣ  ｓｕｂＰＤＵの前に排列されている、請求項２１に記載のランダムアクセス応答装置。
【請求項２３】
前記第１ＭＡＣサブヘッダは、Ｍｓｇ１に基づくシステムインフォメーション要求に対し応答を行うＭＡＣサブヘッダである場合、
前記第１ＭＡＣ  ｓｕｂＰＤＵは、前記ランダムアクセス応答メッセージのＭＡＣ  ＰＤＵの所定位置に位置する、請求項２１に記載のランダムアクセス応答装置。
【請求項２４】
基地局から送信されるランダムアクセス応答メッセージを受信した後に、前記ランダムアクセス応答メッセージを解析するための解析モジュールをさらに含む、請求項２０〜２３のいずれか一項に記載のランダムアクセス応答装置。
【請求項２５】
前記解析モジュールは、
前記ランダムアクセス応答メッセージの１つめのＭＡＣ  ｓｕｂＰＤＵを解析するための第１解析サブモジュールと、
１つめのＭＡＣ  ｓｕｂＰＤＵのＭＡＣサブヘッダにＲＡＰＩＤが含まれる場合、当該ＭＡＣ  ｓｕｂＰＤＵがＭＡＣ  ＲＡＲを含むＭＡＣ  ｓｕｂＰＤＵであり、ＭＡＣ  ＲＡＲを含むＭＡＣ  ｓｕｂＰＤＵの所定のバイト長で前記ＭＡＣ  ＰＤＵ全体を分割し、ＭＡＣ  ＲＡＲを含む各々のＭＡＣ  ｓｕｂＰＤＵを取得するための第１分割サブモジュールと、
各々のＭＡＣ  ｓｕｂＰＤＵを並行して解析するための第１並行解析サブモジュールとを含む、請求項２４に記載のランダムアクセス応答装置。
【請求項２６】
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動されていない場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵ以外の余剰部分を分割し、ＭＡＣ  ＲＡＲを含む各々のＭＡＣ  ｓｕｂＰＤＵを取得するための第２分割サブモジュールと、
各々のＭＡＣ  ｓｕｂＰＤＵを並行して解析するための第２並行解析サブモジュールとをさらに含み、あるいは、
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの前に位置すると予め取り決められる場合、さらに、前記ランダムアクセス応答メッセージの２つめのＭＡＣ  ｓｕｂＰＤＵを解析するための第２解析サブモジュールと、
Ｍｓｇ１に基づくシステムインフォメーション要求に対し応答を行うＭＡＣサブヘッダが２つめのＭＡＣ  ｓｕｂＰＤＵに含まれていると特定される場合、さらに、前記ランダムアクセス応答メッセージの３つめのＭＡＣ  ｓｕｂＰＤＵを解析するための第３解析サブモジュールと、
３つめのＭＡＣ  ｓｕｂＰＤＵにＭＡＣ  ＲＡＲを含む場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵと２つめのＭＡＣ  ｓｕｂＰＤＵとを除いた余剰部分を分割し、ＭＡＣ  ＲＡＲを含む各々のＭＡＣ  ｓｕｂＰＤＵを取得するための第３分割サブモジュールと、
各々のＭＡＣ  ｓｕｂＰＤＵを並行して解析するための第３並行解析サブモジュールとをさらに含み、あるいは、
前記解析モジュールは、
各々のＭＡＣ  ｓｕｂＰＤＵを並行して解析した後に、そのうち１つのＭＡＣ  ＲＡＲを含むＭＡＣ  ｓｕｂＰＤＵを解析する場合、前記そのうちの１つのＭＡＣ  ｓｕｂＰＤＵのＭＡＣサブヘッダに含まれるＲＡＰＩＤとして、ランダムアクセス要求Ｍｓｇ１が前記端末から送信される際のランダムアクセスｐｒｅａｍｂｌｅ  ＩＤとは一致すると、ほかのＭＡＣ  ＲＡＲを含むＭＡＣ  ｓｕｂＰＤＵを廃棄するための第１処理サブモジュールをさらに含み、あるいは、
前記解析モジュールは、
前記ランダムアクセス応答メッセージの１つめのＭＡＣ  ｓｕｂＰＤＵを解析した後に、１つめのＭＡＣ  ｓｕｂＰＤＵではＢＩを含むＭＡＣサブヘッダであり、かつ前記端末からランダムアクセスを引き起こすセルでは、Ｍｓｇ１に基づくシステムインフォメーション要求機能が起動され、かつ、Ｍｓｇ１に基づくシステムインフォメーション要求に対し応答を行うＭＡＣ  ｓｕｂＰＤＵが全体的に第２ＭＡＣ  ｓｕｂＰＤＵの後ろに位置すると予め取り決められる場合、ＭＡＣ  ＲＡＲを含むＭＡＣ  ｓｕｂＰＤＵの所定のバイト長で、前記ＭＡＣ  ＰＤＵ全体のうち１つめのＭＡＣ  ｓｕｂＰＤＵを除いた余剰部分を分割し、ＭＡＣ  ＲＡＲを含む各々のＭＡＣ  ｓｕｂＰＤＵ、および、可能性があれば、ＭＡＣ  ＲＡＲを含むＭＡＣ  ｓｕｂＰＤＵのバイト長より小さく、Ｍｓｇ１に基づくシステムインフォメーション要求に対し応答を行うＭＡＣ  ｓｕｂＰＤＵを含む可能性のある余剰部分を取得するための第４分割サブモジュールをさらに含む、請求項２５に記載のランダムアクセス応答装置。
【国際調査報告】
2020529807.tif 000022
2020529807.tif 000023
2020529807.tif 000024
2020529807.tif 000025
2020529807.tif 000026